(57)【要約】  通信管理装置（１２０）を経由して指定した送信先との通信をおこなう通信端末装置（１１０）であって、まず、設定部（１１１）において、装置ごとにユニークに設定されている通常用の識別情報と、前記通常用の識別情報以外の特別用の識別情報とのいずれかを、通信用の識別情報に設定する。通信用の識別情報が設定されると、報知部（１１２）において当該設定をあらわす報知情報を通信管理装置（１２０）に送信する。そして選択部（１１３）が、送信先の通信端末装置（１１０）の選択を受け付けると、通信部（１１４）によって設定された通信用の識別情報を利用して選択された送信先との通信をおこなう。
2009028059.tif 000002
【特許請求の範囲】
【請求項１】
通信管理装置を経由して指定した送信先との通信をおこなう通信端末装置であって、
装置ごとにユニークに設定されている通常用の識別情報と、前記通常用の識別情報以外の特別用の識別情報とのいずれかを、通信用の識別情報に設定する設定手段と、
前記設定手段において、いずれかの通信用の識別情報が設定されると、当該設定をあらわす報知情報を前記通信管理装置に送信する報知手段と、
送信先の通信端末装置の選択を受け付ける選択手段と、
前記設定手段により設定された通信用の識別情報を利用して前記選択手段により受け付けた送信先との通信をおこなう通信手段と、
を備えることを特徴とする通信端末装置。
【請求項２】
前記設定手段は、前記通常用の識別情報が通信用の識別情報として設定された後に、前記切り替え指示を受け付けると、当該切り替え指示に応じて、あらたな通信用の識別情報に設定するとともに、前記切り替えられた通常用の識別情報を保留状態とし、
前記報知手段は、前記設定手段があらたな通信用の識別情報を設定し、前記通常用の識別情報を保留状態にすると、当該設定の切り替えおよび保留をあらわす報知情報を前記通信管理装置に送信することを特徴とする請求項１に記載の通信端末装置。
【請求項３】
前記設定手段は、前記保留状態にした識別情報を通信用の識別情報に復帰させる復帰指示を受け付けると、当該復帰指示に応じて、前記通常用の識別情報を通信用の識別情報に設定し、
前記報知手段は、前記設定手段によって前記保留状態の識別情報が通信用の識別情報に復帰されると、当該復帰をあらわす報知情報を前記通信管理装置に送信することを特徴とする請求項２に記載の通信端末装置。
【請求項４】
前記設定手段は、前記特別用の識別情報が通信用の識別情報として設定された後、通信用の識別情報の変更指示を受け付けると、当該変更指示に応じたあらたな通信用の識別情報に設定するとともに、変更前の前記特別用の識別情報を通信用の識別情報の設定から解除する、
前記報知手段は、前記設定手段があらたな通信用の識別情報を設定し、前記特別用の識別情報を通信用の識別情報の設定から解除すると、当該変更、解除をあらわす報知情報を前記通信管理装置に送信することを特徴とする請求項１に記載の通信端末装置。
【請求項５】
前記設定手段は、前記通常用の識別情報以外の複数の識別情報の中から特別用の識別情報を選択し、通信用の識別情報に設定することを特徴とする請求項１に記載の通信端末装置。
【請求項６】
前記設定手段は、前記通常用の識別情報以外の複数の識別情報の中から選択された識別情報を受信用の識別情報に設定し、
前記通信手段は、前記設定手段によって受信用の識別情報に設定された識別情報に宛てて送信された情報を受信することを特徴とする請求項１に記載の通信端末装置。
【請求項７】
前記設定手段は、前記通常用の識別情報を受信用の識別情報に設定し、
前記通信手段は、前記受信用の識別情報に設定された通常用の識別情報に宛てて送信された情報を受信することを特徴とする請求項６に記載の通信端末装置。
【請求項８】
前記設定手段は、前記特別用の識別情報を受信用の識別情報に設定し、
前記通信手段は、前記受信用の識別情報に設定された特別用の識別情報に宛てて送信された情報を受信することを特徴とする請求項６に記載の通信端末装置。
【請求項９】
前記設定手段は、前記受信用の識別情報に設定された特別用の識別情報が通信用の識別情報として設定された後、通信用の識別情報の変更指示を受け付けると、当該変更指示に応じてあらたに通信用の識別情報に設定するとともに、変更前の前記特別用の識別情報を通信用の識別情報の設定から解除して保留状態とし、
前記報知手段は、前記設定手段があらたな通信用の識別情報を設定し、前記特別用の識別情報を保留状態にすると、当該設定変更、保留をあらわす報知情報を前記通信管理装置に送信することを特徴とする請求項８に記載の通信端末装置。
【請求項１０】
前記通信管理装置もしくは前記送信先から前記特別用の識別情報を受け付ける受付手段を備え、
前記設定手段は、装置ごとにユニークに設定されている通常用の識別情報と、前記受付手段により受け付けた特別用の識別情報とのいずれかを、通信用の識別情報に設定することを特徴とする請求項１に記載の通信端末装置。
【請求項１１】
前記設定手段は、前記特別用の識別情報として装置を特定させない一時的な匿名用の識別情報を設定することを特徴とする請求項１〜１０のいずれか一つに記載の通信端末装置。
【請求項１２】
通信端末装置間の通信の確立を管理する通信管理装置であって、
前記通信端末装置から、当該通信端末装置が通信をおこなう際に利用する通信用の識別情報の設定をあらわす報知情報を受け付ける受付手段と、
前記受付手段が前記報知情報を受け付けると、当該報知情報によって報知された通信用の識別情報を、前記通信端末装置の通信状態を管理するための監視対象の識別情報に設定する設定手段と、
を備えることを特徴とする通信管理装置。
【請求項１３】
前記設定手段は、前記受付手段が通信端末装置から通信用の識別情報の変更をあらわす報知情報を受け付けると、当該報知情報に応じて、前記通信端末装置の通信状態を管理するための監視対象の識別情報をあらたな識別情報に変更することを特徴とする請求項１２に記載の通信管理装置。
【請求項１４】
前記設定手段は、前記受付手段が通信端末装置から通信用の識別情報の変更をあらわす報知情報を受け付けると、当該報知情報に応じて、当該報知情報を受け付けた時点において通信用の識別情報であった識別情報を保留状態として管理することを特徴とする請求項１２に記載の通信管理装置。
【請求項１５】
前記設定手段は、前記受付手段が通信端末装置から通信用の識別情報の保留状態への設定をあらわす報知情報を受け付けると、前記報知情報に応じて、前記通信端末装置の識別情報を、通信状態を管理するための監視対象から解除し保留状態として管理することを特徴とする請求項１２に記載の通信管理装置。
【請求項１６】
さらに、前記設定手段によって監視対象から解除された識別情報を保管する保管手段を備え、
前記保管手段は、前記他の通信端末装置から前記保留状態の識別情報に宛てた通信がおこなわれると、その通信内容を保管し、前記保留状態の識別情報の通信端末装置に、前記保留状態の識別情報に宛てた通信をあらわす報知情報を送信することを特徴とする請求項１４または１５に記載の通信管理装置。
【請求項１７】
前記保管手段は、前記他の通信端末装置から前記保留状態の識別情報に宛てた通信がおこなわれると、その通信内容を保管し、前記保留状態の識別情報の通信端末装置に通信が可能であれば、当該保留状態の識別情報に宛てて前記通信内容を送信することを特徴とする請求項１４または１５に記載の通信管理装置。
【請求項１８】
前記設定手段は、前記受付手段が前記通信端末装置から、前記保留状態の識別情報の通信用の識別情報への復帰をあらわす報知情報を受け付けると、前記保留状態の識別情報を監視対象の識別情報に設定することを特徴とする請求項１４または１５に記載の通信管理装置。
【請求項１９】
前記設定手段は、前記受付手段が通信端末装置から通信用の識別情報の設定の解除をあらわす報知情報を受け付けると、前記報知情報に応じて、前記通信端末装置の識別情報を、通信状態を管理するための監視対象から解除することを特徴とする請求項１２に記載の通信管理装置。
【請求項２０】
通信管理装置を経由して指定した送信先との通信をおこなう通信端末装置の通信方法であって、
装置ごとにユニークに設定されている通常用の識別情報と、前記通常用の識別情報以外の特別用の識別情報とのいずれかを、通信用の識別情報に設定する設定工程と、
前記設定工程において、いずれかの通信用の識別情報が設定されると、当該設定をあらわす報知情報を前記通信管理装置に送信する報知工程と、
送信先の通信端末装置の選択を受け付ける選択工程と、
前記設定工程により設定された通信用の識別情報を利用して前記選択工程により受け付けた送信先との通信をおこなう通信手段と、
を含むことを特徴とする通信方法。
【請求項２１】
通信端末装置間の通信の確立を管理する通信管理装置の通信方法であって、
前記通信端末装置から、当該通信端末装置が通信をおこなう際に利用する通信用の識別情報の設定をあらわす報知情報を受け付ける受付工程と、
前記受付工程が前記報知情報を受け付けると、当該報知情報によって報知された通信用の識別情報を、前記通信端末装置の通信状態を管理するための監視対象の識別情報に設定する設定工程と、
を含むことを特徴とする通信方法。
【請求項２２】
請求項２０または２１に記載の通信方法をコンピュータに実行させることを特徴とする通信プログラム。
【請求項２３】
請求項２２に記載の通信プログラムをコンピュータに読み取り可能に記録したことを特徴とする記録媒体。
【発明の詳細な説明】
【技術分野】
【０００１】
この発明は、通信管理装置を経由して指定した送信先との通信をおこなう通信端末装置と、通信端末装置間の通信の確立を管理する通信管理装置と、これらの装置における通信方法、通信プログラムおよび記録媒体に関する。ただし、この発明の利用は、上述の通信端末装置、通信管理装置、通信方法、通信プログラムおよび記録媒体に限らない。
【背景技術】
【０００２】
従来、車両に搭載されたナビゲーション装置は、自車位置周辺の地図を車両の走行に応じてスクロール表示するとともに、目的地までの誘導経路を探索してこの地図上に表示して運転者を目的地まで案内する。このようなナビゲーション装置のうち道路交通情報通信システム対応ナビゲーション装置は、当該道路交通情報通信システムが提供する渋滞、事故、規制などの道路交通情報を受信してリアルタイムに地図上に表示する機能を有している。【０００３】
上述のような道路交通情報を利用することにより、運転者は、渋滞道路、通行規制道路、事故発生道路を回避して目的地に到達できるようになる。また、近年では、ナビゲーション装置が道路交通情報を利用するための手段として、道路上に光ビーコンや電波ビーコンなどのビーコンが配置されている。これらのビーコンからは道路交通情報が送信されており、車両がビーコンの通信可能範囲内を通過することによって、ナビゲーション装置は道路交通情報を受信することができる（たとえば、下記特許文献１参照。）。【０００４】
また、ナビゲーション装置は、ビーコンから送信される道路交通情報を受信するだけではなく、走行速度や、走行位置など自車両の走行に関する情報をビーコンへ送信することもできる。たとえば、車両からビーコンへ走行に関する情報を送信することによって、さらにビーコンを介して所定の送信先に走行に関する情報を送信することもできる。送信先では、受信した各車両の走行に関する情報から渋滞情報などを生成することができる。この送信先において生成された渋滞情報を、ビーコンを介してナビゲーション装置に配信することによって、車両から受信した情報を車両へフィードバックすることもできる。【０００５】
上述のようにナビゲーション装置からビーコンを介して所定の送信先へ車両の走行に関する情報を送信するには、ナビゲーション装置を特定するための固有の識別情報が必要となる。すなわち、当該所定の送信先に車両に関する情報を送信するためには、通信事業者によって通信接続を確立しなければならず、また、通信接続の確立にかかる費用や当該送信先に対する通信利用料をナビゲーション装置の利用者に対して課金する必要がある。そこで、一つのナビゲーション装置に対してそのナビゲーション装置を特定するために、たとえば、ユニークとなる固有の識別情報を割り当てる手法が利用されている。ナビゲーション装置は、割り当てられた固有の識別情報を走行に関する情報に付加して所定の送信先に送信する。【０００６】
【特許文献１】特開２００６−３２９２号公報
【発明の開示】
【発明が解決しようとする課題】
【０００７】
しかしながら、上述のようにナビゲーション装置を特定する固有の識別情報を付加して走行に関する情報を送信する場合には、送信先に、ナビゲーション装置の利用者の行動が捕捉されてしまう可能性がある。したがって、ナビゲーション装置の利用者の行動が所定の送信先に特定されてしまい、利用者によっては、個人の行動を特定されてしまうことに嫌悪感を抱く場合があるという問題が一例として挙げられる。【０００８】
また、上述のように利用者の特定を避けるために、ナビゲーション装置を特定する固有の識別情報に替わって、ナビゲーション装置の利用者が特定されないように、ランダム、もしくは通信をおこなう度に異なる識別情報を利用する手法も提案されている。しかしながら、上述のように頻繁に識別情報を切り替えた場合、送信先が送信元の挙動を特定するのは難しくなるが、同時に、送信先から送信元へ有用な情報を返信した場合に、送信元の識別情報が切り替わってしまっている。したがって送信元のナビゲーション装置が有用な情報を受信できないという事態が発生してしまうという問題が一例として挙げられる。
【課題を解決するための手段】
【０００９】
請求項１の発明にかかる通信端末装置は、通信管理装置を経由して指定した送信先との通信をおこなう通信端末装置であって、装置ごとにユニークに設定されている通常用の識別情報と、前記通常用の識別情報以外の特別用の識別情報とのいずれかを、通信用の識別情報に設定する設定手段と、前記設定手段において、いずれかの通信用の識別情報が設定されると、当該設定をあらわす報知情報を前記通信管理装置に送信する報知手段と、送信先の通信端末装置の選択を受け付ける選択手段と、前記設定手段により設定された通信用の識別情報を利用して前記選択手段により受け付けた送信先との通信をおこなう通信手段と、を備えることを特徴とする。【００１０】
また、請求項１２の発明にかかる通信管理装置は、通信端末装置間の通信の確立を管理する通信管理装置であって、前記通信端末装置から、当該通信端末装置が通信をおこなう際に利用する通信用の識別情報の設定をあらわす報知情報を受け付ける受付手段と、前記受付手段が前記報知情報を受け付けると、当該報知情報によって報知された通信用の識別情報を、前記通信端末装置の通信状態を管理するための監視対象の識別情報に設定する設定手段と、を備えることを特徴とする。【００１１】
また、請求項２０の発明にかかる通信方法は、通信管理装置を経由して指定した送信先との通信をおこなう通信端末装置の通信方法であって、装置ごとにユニークに設定されている通常用の識別情報と、前記通常用の識別情報以外の特別用の識別情報とのいずれかを、通信用の識別情報に設定する設定工程と、前記設定工程において、いずれかの通信用の識別情報が設定されると、当該設定をあらわす報知情報を前記通信管理装置に送信する報知工程と、送信先の通信端末装置の選択を受け付ける選択工程と、前記設定工程により設定された通信用の識別情報を利用して前記選択工程により受け付けた送信先との通信をおこなう通信手段と、を含むことを特徴とする。【００１２】
また、請求項２１の発明にかかる通信方法は、通信端末装置間の通信の確立を管理する通信管理装置の通信方法であって、前記通信端末装置から、当該通信端末装置が通信をおこなう際に利用する通信用の識別情報の設定をあらわす報知情報を受け付ける受付工程と、前記受付工程が前記報知情報を受け付けると、当該報知情報によって報知された通信用の識別情報を、前記通信端末装置の通信状態を管理するための監視対象の識別情報に設定する設定工程と、を含むことを特徴とする。【００１３】
また、請求項２２の発明にかかる通信プログラムは、請求項２０または２１に記載の通信方法をコンピュータに実行させることを特徴とする。【００１４】
また、請求項２３の発明にかかる記録媒体は、請求項２２に記載の通信プログラムをコンピュータに読み取り可能に記録したことを特徴とする。
【図面の簡単な説明】
【００１５】
【図１】図１は、この発明の実施の形態のシステム構成を示すブロック図である。
【図２−１】図２−１は、通信端末装置の識別情報設定処理の内容を示すフローチャートである。
【図２−２】図２−２は、通信端末装置の識別情報変更処理の内容を示すフローチャートである。
【図３】図３は、本実施の形態にかかる通信管理装置の処理の内容を示すフローチャートである。
【図４−１】図４−１は、本実施例のシステム構成の概要を示す説明図（その１）である。
【図４−２】図４−２は、本実施例のシステム構成の概要を示す説明図（その２）である。
【図５】図５は、ナビゲーション装置のハードウェア構成を示すブロック図である。
【図６】図６は、通信センターに内蔵されたサーバ装置のハードウェア構成を示すブロック図である。
【図７】図７は、ナビゲーション装置の通信保留処理の内容を示すフローチャートである。
【図８】図８は、サーバ装置の通信保留処理の内容を示すフローチャートである。
【図９】図９は、ＩＤの切り替え動作の一例を示す説明図である。
【符号の説明】
【００１６】
１１０  通信端末装置
１１１  設定部
１１２  報知部
１１３  選択部
１１４  通信部
１１５  受付部
１２０  通信管理装置
１２１  受付部
１２２  設定部
１２３  保管部
【発明を実施するための最良の形態】
【００１７】
以下に添付図面を参照して、この発明にかかる通信端末装置、通信管理装置、通信方法、通信プログラムおよび記録媒体の好適な実施の形態を詳細に説明する。【００１８】
（システム構成）
まず、この発明の実施の形態のシステム構成について説明する。図１は、この発明の実施の形態のシステム構成を示すブロック図である。図１に示すように本実施の形態は、通信端末装置１１０（１１０Ａ，１１０Ｂ，１１０Ｃ）と、通信管理装置１２０とを含んだシステム構成により実現される。【００１９】
通信端末装置１１０（たとえば、通信端末装置１１０Ａ）は、通信管理装置１２０を経由して指定した（または、所定の）送信先の通信端末装置１１０（たとえば、通信端末装置１１０Ｂ）との通信を確立する。通信確立後は、通信端末装置１１０Ａと通信端末装置１１０Ｂとの間で双方向通信をおこなうことができる。通信管理装置１２０は、通信端末装置１１０間の通信を確立する。【００２０】
また、図１に示したような通信端末装置１１０がそれぞれ指定した送信先と双方向通信をおこなうには、送信元となる自装置を特定させるための識別情報が必要となる。本実施の形態では、通信端末装置１１０によってどのような通信をおこなうか、その種類に応じて、通常用の識別情報と、特別用の識別情報との２種類の識別情報のいずれかを設定することができる。【００２１】
通常用の識別情報は、送信元の通信端末装置１１０Ａが指定した任意の送信先である通信端末装置１１０Ｂと、送信元を明確にした双方向通信をおこなうなどの通常の通信の際に利用され、特別用の識別情報は、通信端末装置１１０Ａが指定した送信先の通信端末装置１１０Ｃの特定のサービスを利用するなどの特別な通信の際に利用される。【００２２】
さらに詳しく説明すると、通常用の識別情報は、特別な通信先を除いた通常の通信時に用いる識別情報である。通常用の識別情報は、たとえば、メールアドレスのように、通信管理装置１２０や送信先の通信端末装置１１０に対して、送信元を識別させる目的や、通信を確立させる目的で送信する情報である。また、通常用の識別情報は、各送信元の通信端末装置１１０が通信をおこなう際に最も利用頻度の高い識別情報であったり、通信用の識別情報に利用される機会が最も多い識別情報であったりしてもよい。また、通常時に他の通信端末装置１１０からの通信を受信するための識別情報としてもよい。【００２３】
一方、特別用の識別情報は、特定の送信先との通信をおこなう際に利用する専用の識別情報である。特別用の識別情報は、具体的には、特別なサービスを受ける時など、通常用の識別情報を利用することによって身元が送信先に知られるのを避けたい場合、または、同一の送信先に対して通常用の識別情報を使い続けて送信元の行動を特定されることを避けたい場合などに利用される。したがって、特別用の識別情報は、通信端末装置１１０に通常用の識別情報が設定されている状態から、通信先の変更や、所定の事象の発生（所定時間経過など）に応じて、適宜通信用の識別情報から切り替えられて利用される。【００２４】
特別用の識別情報をメールアドレスの例で説明すると、特別用の識別情報は、特定の送信先に応じて設定された通常用のメールアドレスとは異なるメールアドレス（特別用のメールアドレス）である。この特別用のメールアドレスは、各通信端末装置１１０に元々設定されているメールアドレスでもよいし、各通信端末装置１１０において適宜作成したメールアドレスでもよいし、通信管理装置１２０や、送信先の通信端末装置１１０などから適宜取得したメールアドレスであってもよい。【００２５】
もちろん、特別用の識別情報は、送信先に応じてくりかえし利用してもかまわない。したがって、特別用の識別情報を特定の送信先との通信に利用したり、特別なサービスを受ける場合に利用したりする場合などには上述のような運用となる。またこれらの特別用の識別情報は、目的の通信が終了したら破棄してしまってもよいし、同一の送信先に対して定期的または所定の事象（たとえば、通信端末装置１１０を搭載した車両のエンジンのオン／オフ）ごとに識別情報を変更させるような運用であってもよい。特に、送信元の通信端末装置１１０の身元（たとえば、通信端末装置１１０の利用者）の特定や行動の特定を避けたい場合に利用する匿名用の識別情報は、上述のように、利用終了ごとに破棄するような運用となる。【００２６】
以上説明したように、本実施の形態にかかる通信端末装置１１０および通信管理装置１２０は、通常用の識別情報と特別用の識別情報とのいずれかを通信用の識別情報に設定して送信先の通信端末装置１１０との通信を実現させることができる。また、通信端末装置１１０は、通信先や、通信内容に応じて適宜通信用の識別情報を切り替える。さらに、通信管理装置１２０には、通信用の識別情報の切り替えに関する情報が報知情報として通信端末装置１１０から報知される。【００２７】
したがって、通信端末装置１１０の利用者は、通常用の識別情報を利用することによって通常の通信を実現するとともに、同じ通信端末装置１１０を利用して通常の通信とは異なる特別用の識別情報を利用した特別用の通信を実現することができる。また、特別用の通信を利用することによって、利用者の挙動が特定されない匿名性のある通信を実現することもできる。また、通信端末装置１１０は、現在通信用の識別情報に設定されていない識別情報についても、保留状態もしくは受信用に設定することができる。【００２８】
そして、通信端末装置１１０における識別情報の保留状態もしくは受信用への設定は、その都度通信管理装置１２０に報知される。したがって、通信端末装置１１０における通信用の識別情報が頻繁に切り替えられても、通信管理装置１２０は、保留状態もしくは受信用に設定された識別情報に宛てて送信された情報を受信することができる。このように、保留状態もしくは受信用に設定された識別情報に宛てて送信され通信管理装置１２０によって受信された情報は、通信管理装置１２０に一時的に保管され、通信端末装置１１０からの問い合わせや指示に応じて送信先の各通信端末装置１１０に送信される。【００２９】
また、通信端末装置１１０における識別情報の保留状態もしくは受信用への設定がされる度に、当該通信端末装置１１０が通信管理装置１２０に報知する代わりに、通信管理装置１２０が、通信端末装置１１０からの通信用の識別情報の切り替えに関する情報の報知に基づいて、「通信端末装置１１０にて使用する識別情報」の保留状態もしくは受信用への設定をおこなってもよい。【００３０】
この「通信端末装置１１０にて使用する識別情報」とは通信端末装置１１０から通信管理装置１２０に登録された識別情報でもよいし、通信端末装置１１０において使用されたことのある識別情報の履歴を通信管理装置１２０に保持しておき、この保持された識別情報を利用してもよい。このような処理をおこなうことにより、通信端末装置１１０における識別情報の保留状態もしくは受信用への設定がされる度に、通信管理装置１２０は、保留状態もしくは受信用に設定した通信端末装置１１０にて使用する識別情報に宛てて送信された情報を受信することができる。【００３１】
また、保留状態もしくは受信用に設定された識別情報に宛てて送信され通信管理装置１２０によって受信された情報は、通信管理装置１２０に一時的に保管される。そして、保留状態もしくは受信用に設定された識別情報が送信先における通信端末装置１１０からの通信用の識別情報に設定されたときに、上述のように保管された情報を通信端末装置１１０に送信すればよい。【００３２】
また、通信管理装置１２０は、通信端末装置１１０から送信された情報を一時的に保管している場合に、送信先となる通信端末装置１１０で選択されている識別情報が通信端末装置１１０によって識別できる識別情報であれば、当該識別情報を宛先として保管中の情報を送信してもよい。【００３３】
他の手法としては、通信管理装置１２０に情報が保管された旨と、その送信の宛先として設定された識別情報を、一旦送信先の通信端末装置１１０に報知し、その後、当該通信端末装置１１０からの指示に応じて保管された情報の送信処理をおこなってもよい。また、単純に通信端末装置１１０からの問い合わせ指示に応じて、保管された情報を送信先に指定されている各通信端末装置１１０に送信してもよい。【００３４】
つぎに、上述したような通信システムを実現するための通信端末装置１１０および通信管理装置１２０それぞれの機能的構成、処理内容について順に説明する。【００３５】
（通信端末装置の機能的構成）
まず、本実施の形態にかかる通信端末装置の機能的構成について説明する。図１のように、本実施の形態にかかる通信端末装置１１０は、設定部１１１と、報知部１１２と、選択部１１３と、通信部１１４と、受付部１１５とを含んで構成される。【００３６】
設定部１１１は、装置ごとにユニークに設定されている通常用の識別情報と、通常用の識別情報以外の特別用の識別情報とのいずれかを、通信用の識別情報に設定する。ここで、特に通信端末装置１１０の挙動を特定されたくない場合には、特別用の識別情報として、通信端末装置１１０を特定させる情報を含まない匿名用の識別情報を利用してもよい。なお、設定部１１１は、通常用の識別情報以外の複数の識別情報の中から特別用の識別情報を選択し、通信用の識別情報に設定してもよい。【００３７】
報知部１１２は、設定部１１１において、いずれかの通信用の識別情報が設定されると、この設定をあらわす報知情報を通信管理装置１２０に送信する。報知情報は、通信端末装置１１０が利用している識別情報の状況を通信管理装置１２０に報知する役割を担う。また、報知情報は、通信端末装置１１０において識別情報の設定の切り替えがあった場合、たとえば、識別情報の変更、保留、さらに保留からの復帰、設定解除などを逐一報知する。【００３８】
選択部１１３は、利用者や上位プログラムなどから送信先の通信端末装置１１０の選択を受け付ける。図１に示した例では、通信端末装置１１０Ａの場合、送信先として通信端末装置１１０Ｂか通信端末装置１１０Ｃかのいずれか一方の選択を受け付ける。なお、本実施の形態では、識別情報を設定後、送信先の選択を受け付けているが、送信先と利用する識別情報とを紐付けておいてもよい。たとえば、通信端末装置１１０Ｂが送信先に選択された場合には、自動的に通常用の識別情報が設定され、通信端末装置１１０Ｃが送信先に選択された場合には、自動的に特別用の識別情報が設定されるようにしてもよい。この場合、利用者や上位プログラムによる識別情報の設定処理が不要になる。【００３９】
通信部１１４は、設定部１１１により設定された通信用の識別情報を利用して選択部１１３により受け付けた送信先との通信をおこなう。ここで、通信とは、実際に送信先の通信端末装置１１０とデータの送受信をおこなう以外にも、データの送受信をおこなうまでの待機状態も含まれる。【００４０】
上述したように報知部１１２は、利用者や上位プログラムによる識別情報の設定内容の変更を通信管理装置１２０に報知するために報知情報を送信する。特に、通信用の識別情報を切り替える際には、切り替え前に通信用の識別情報に設定されていた識別情報に宛てて送信された情報が破棄されてしまわないように、切り替え前に通信用の識別情報に設定された識別情報が保留中もしくは受信用の識別情報として設定されたことを報知する処理が必要となる。以下、識別情報の設定内容の変更に応じた報知処理の具体例について説明する。【００４１】
設定部１１１は、通常用の識別情報が通信用の識別情報として設定された後に、通信用の識別情報の切り替え指示を受け付けると、この切り替え指示に応じて、設定中の通信用の識別情報を、あらたな通信用の識別情報に設定するとともに、切り替えられた通常用の識別情報を保留状態に設定する。そして、報知部１１２は、設定部１１１があらたな通信用の識別情報を設定し、それまで通信用の識別情報に設定されていた通常用の識別情報を保留状態にすると、当該設定の切り替えおよび保留をあらわす報知情報を通信管理装置１２０に送信する。【００４２】
また、上述のように、一旦保留状態になった識別情報に対して再度通信用の識別情報に設定することもできる。この場合、設定部１１１は、保留状態にした識別情報を通信用の識別情報に復帰させる復帰指示を受け付けると、この復帰指示に応じて、通常用の識別情報を通信用の識別情報に設定する。また、報知部１１２は、設定部１１１によって保留状態の識別情報が通信用の識別情報に復帰されると、この復帰をあらわす報知情報を、通信管理装置１２０に送信する。【００４３】
また、設定部１１１は、特別用の識別情報が通信用の識別情報として設定された後、通信用の識別情報の変更指示を受け付けると、この変更指示に応じて、あらたな通信用の識別情報に設定するとともに、変更前の特別用の識別情報を通信用の識別情報の設定から解除する。そして、報知部１１２は、設定部１１１が、あらたな通信用の識別情報を設定し、それまで通信用の識別情報に設定されていた特別用の識別情報を、通信用の識別情報の設定から解除すると、この変更、解除をあらわす報知情報を通信管理装置１２０に送信する。【００４４】
このとき、それまで通信用の識別情報に設定されていた特別用の識別情報を保留状態に設定してもよい。このような設定の場合、報知部１１２は、設定部１１１があらたな通信用の識別情報を設定し、それまで通信用の識別情報に設定されていた特別用の識別情報を保留状態に設定すると、当該設定の切り替えおよび保留をあらわす報知情報を通信管理装置１２０に送信する。【００４５】
なお、設定部１１１は、通常用の識別情報以外の複数の識別情報の中から選択された識別情報を、あらたに受信用の識別情報に設定してもよい。受信用の識別情報とは、通信用の識別情報と異なり、受信専用に機能する識別情報である。たとえば、受信用の識別情報に設定されていれば、この識別情報を利用して送信をおこなうことはないが、通信用の識別情報に設定されていなくても、他の通信端末装置１１０からこの受信用の識別情報に宛てて送信された情報を受信することができる。【００４６】
また、設定部１１１は、通常用の識別情報を、上述した受信用の識別情報に設定してもよい。この場合、通信部１１４は、受信用の識別情報に設定された通常用の識別情報に宛てて送信された情報を受信する。さらに、設定部１１１は、特別用の識別情報を受信用の識別情報に設定してもよい。この場合、通信部１１４は、受信用の識別情報に設定された特別用の識別情報に宛てて送信された情報を受信する。【００４７】
また、設定部１１１は、受信用の識別情報に設定された特別用の識別情報が、通信用の識別情報として設定された後、通信用の識別情報の変更指示を受け付けると、この変更指示に応じて、あらたに通信用の識別情報に設定するとともに、変更前の特別用の識別情報を通信用の識別情報の設定から解除して保留状態とする。そして、報知部１１２は、設定部１１１が、あらたな通信用の識別情報を設定し、特別用の識別情報を保留状態にすると、この設定変更、保留をあらわす報知情報を通信管理装置１２０に送信する。【００４８】
また、受付部１１５は、通信管理装置１２０もしくは送信先の通信端末装置１１０（たとえば特別用の識別情報を利用して通信をおこなう通信端末装置１１０Ｃなど）から特別用の識別情報を受け付ける。上述したように、設定部１１１において、あらかじめ用意された特別用の識別情報を用いてもよいが、これに限ることなく、受付部１１５により受け付けた特別用の識別情報を利用してもよい。【００４９】
通信端末装置１１０は、以上説明したような構成により、同一の端末によって通常用と特別用の識別情報を使い分けることができる。具体的には、たとえば、車両に搭載された通信端末装置１１０Ａが、送信先として選択した通信端末装置１１０Ｃと通信をおこなう場合について説明する。ここで、通信端末装置１１０Ｃは、サービス事業者としての機能を備えた通信端末装置とする。【００５０】
通信端末装置１１０Ａは、特別用の識別情報を利用して、搭載されている車両に関する情報を通信端末装置１１０Ｃに送信する。そして、通信端末装置１１０Ａは、この送信情報の見返りとして、通信端末装置１１０Ｃから交通情報のサービスを受け付ける。このような場合、通信端末装置１１０Ｃが、通信端末装置１１０Ａから受信した車両に関する情報には、特別用の識別情報が通信用の識別情報として利用されている。したがって、通信端末装置１１０Ｃから通信端末装置１１０Ａに交通情報を返信する際には、車両に関する情報の送信に利用されていた特別用の識別情報を宛先とする。【００５１】
しかしながら、通信端末装置１１０Ａは、利用者の利用状況などに応じて、通信用の識別情報の設定が頻繁に切り替わることがある。すなわち、通信端末装置１１０Ｃが、特別用の識別情報を利用して交通情報を返信しても、通信端末装置１１０Ａの通信用の識別情報は、すでに、他の識別情報に切り替えられてしまっている可能性が高い。そこで、上述したような特別用の識別情報など、所定の識別情報を受信用の識別情報に設定しておけば、通信用の識別情報を変更してしまった場合であっても、確実に返信された情報を受信することができる。【００５２】
なお、通信端末装置１１０Ａは、通信端末装置１１０Ｃから交通情報が返信された場合に、交通情報の宛先として利用された特別用の識別情報を利用して、再度、通信端末装置１１０Ｃに車両に関する情報を送信する利用形態も想定される。したがって、通信端末装置１１０Ａは、受信用の識別情報に設定されていた特別用の識別情報に宛てられた返信情報を受信した場合には、この特別用の識別情報を自動的に、通信用の識別情報に設定してもよい。そして、通信用の識別情報に設定し、所定の通信を終えた後は、再度、通信用の識別情報を、他の特別用の識別情報や通常用の識別情報に切り替えるように設定してもよい。【００５３】
また、通信端末装置１１０Ａが通常用の識別情報を利用して通信端末装置１１０Ｂと通信をおこなっているような場合、通信端末装置１１０Ｂから通信端末装置１１０Ａに返信しても、通信端末装置１１０Ａの通信用の識別情報が特別用の識別情報に設定されている場合もある。したがって、通常用の識別情報は、通信用の識別情報の設定を解除されると、一時的に保留状態に設定される。上述したように、通常用の識別情報が保留状態に設定されると、通信管理装置１２０に、保留状態が報知される。詳しくは後述するが、通信管理装置１２０では、保留状態の報知を受け付けると、通信端末装置１１０Ｂから送信された情報は、通信管理装置１２０において一時的に保管される。そして、通信端末装置１１０Ａにおいて、通常用の識別情報が通信用の識別情報に復帰すると、復帰情報が、通信管理装置１２０に報知され、保管されていた情報を受信することができる。【００５４】
以上説明したような仕組みを利用することによって、たとえば、特定の通信先と通信するために特別用の識別情報を利用したとしても、通常用の識別情報に宛てられた通信や、他の特別用の識別情報に宛てられた通信を拒絶することなく対応することができる。【００５５】
（通信管理装置の機能的構成）
つぎに、通信管理装置１２０の機能的構成について説明する。通信管理装置１２０は、通信端末装置１１０同士が、通信をおこなう場合に、宛先として設定されている識別情報を監視して情報を中継する役割を担う。また、通信管理装置１２０は、図１のように、受付部１２１と、設定部１２２と、保管部１２３とを含んで構成されている。【００５６】
受付部１２１は、通信端末装置１１０から、通信用の識別情報の設定をあらわす報知情報を受け付ける。通信用の識別情報とは、報知情報の送信元である通信端末装置１１０が通信をおこなう際に利用する識別情報である。受付部１２１は、上述した通信用の識別情報以外にも、他の設定をあらわす報知情報を受信する場合もある。具体的には、通信用の識別情報変更、保留状態、解除などをあらわす報知情報がある。【００５７】
設定部１２２は、受付部１２１が報知情報を受け付けると、この報知情報によって報知された通信用の識別情報を、通信端末装置１１０の通信状態を管理するための監視対象の識別情報に設定する。【００５８】
また、設定部１２２は、受付部１２１が通信端末装置１１０から上述した通信用の識別情報の変更をあらわす報知情報を受け付けると、この報知情報に応じて、通信端末装置１１０の通信状態を管理するための監視対象の識別情報をあらたな識別情報に変更する。【００５９】
また、設定部１２２は、受付部１２１が通信端末装置１１０から上述した通信用の識別情報の変更をあらわす報知情報を受け付けると、この報知情報を受け付けた時点において通信用の識別情報に設定されている識別情報を保留状態に設定する。このとき、保留状態の識別情報に宛てて送信された情報は、後述する保管部１２３によって保管すればよい。【００６０】
また、設定部１２２は、受付部１２１が、通信端末装置１１０から通信用の識別情報の保留状態への設定をあらわす報知情報を受け付けると、該当する識別情報を、通信状態を管理するための監視対象から解除し、あらたに保留状態として管理するように設定する。このとき、保留状態の識別情報に宛てて送信された情報は、後述する保管部１２３によって保管すればよい。【００６１】
保管部１２３は、いずれかの通信端末装置１１０から保留状態の識別情報に宛てた通信がおこなわれると、当該通信の内容を保管する。そして、この保留状態の識別情報に宛てて送信をおこなった通信端末装置１１０に、宛先に指定した識別情報が保留状態であることをあらわす報知情報を送信する。また、保管部１２３は、いずれかの通信端末装置１１０から保留状態の識別情報に宛てた通信がおこなわれると、その通信内容を保管し、さらに、宛先となっている保留状態の識別情報の通信端末装置１１０への通信が可能であれば、当該保留状態の識別情報に宛てて前記通信内容を送信してもよい。通信内容とは、すなわち、送信データである。【００６２】
また、設定部１２２は、受付部１２１が通信端末装置１１０から、保留状態の識別情報を通信用の識別情報へ復帰させることをあらわす報知情報を受け付けると、保留状態の識別情報を監視対象の識別情報に設定してもよい。さらに、設定部１２２は、受付部１２１が通信端末装置１１０から通信用の識別情報の設定の解除をあらわす報知情報を受け付けると、この報知情報に応じて、通信端末装置１１０の識別情報を、通信状態を管理するための監視対象から解除してもよい。【００６３】
このように、通信管理装置１２０は、通信端末装置１１０からの報知情報の内容に応じて、監視対象となる異なる識別情報を通信端末装置１１０の通信を管理するための識別情報に設定する。【００６４】
（通信端末装置の処理の内容）
つぎに、本実施の形態にかかる通信端末装置１１０の処理の内容について説明する。図２−１は、通信端末装置における識別情報設定処理の内容を示すフローチャートである。図２−１のフローチャートにおいて、まず、通信端末装置１１０の設定部１１１は、識別情報の設定を受け付けたか否かを判断する（ステップＳ２１１）。【００６５】
ステップＳ２１１において、識別情報の設定を受け付けると（ステップＳ２１１：Ｙｅｓ）、つぎに、受け付けた識別情報の設定が特別用の識別情報か否かを判断する（ステップＳ２１２）。ここで、受け付けた識別情報は、各装置にユニークに設定されている通常用の識別情報か、通常用の識別情報以外の特別用の通信に利用する特別用の識別情報かのいずれかである。したがって、ステップＳ２１１によって受け付けたのが特別用の識別情報であった場合には（ステップＳ２１２：Ｙｅｓ）、特別用の識別情報を通信用の識別情報に設定する（ステップＳ２１３）。【００６６】
また、ステップＳ２１１によって受け付けたのが特別用の識別情報ではなかった場合（ステップＳ２１２：Ｎｏ）、受け付けた識別情報は、すなわち、通常用の識別情報となる。したがって、通常用の識別情報を通信用の識別情報に設定する（ステップＳ２１４）。また、ステップＳ２１１において、識別情報の設定を受け付けなかった場合には（ステップＳ２１１：Ｎｏ）、通常用の識別情報を利用すると判断し、通常用の識別情報を通信用の識別情報に設定する（ステップＳ２１４）。【００６７】
ステップＳ２１３もしくはＳ２１４において通信用の識別情報の設定がおこなわれると、つぎに、設定された通信用の識別情報の設定をあらわす報知情報を通信管理装置１２０に送信する（ステップＳ２１５）。その後、選択部１１３によって、送信先の選択を受け付けたか否か判断する（ステップＳ２１６）。ここで、送信先の選択を受け付けるまで待ち（ステップＳ２１６：Ｎｏのループ）、選択を受け付けると（ステップＳ２１６：Ｙｅｓ）、設定された通信用の識別情報を利用して、通信部１１４が送信先の通信端末装置との通信を開始させ（ステップＳ２１７）、通信端末装置１１０による一連の通信開始処理を終了する。なお、上述したように、設定した識別情報による通信の開始とは、通信相手とのデータの送受信処理と、受信待機との双方の動作を含む。【００６８】
上述したように、通信端末装置１１０は、任意に設定した通信用の識別情報を利用して通信を開始させることができる。さらに、通信端末装置１１０は、一旦設定した識別情報を任意に切り替えることができる。そこで、つぎに通信端末装置１１０における、通信用の識別情報の切り替え処理について説明する。【００６９】
図２−２は、通信端末装置の識別情報の切り替え処理の内容を示すフローチャートである。図２−２のフローチャートにおいて、まず、設定部１１１において通信用の識別情報の切り替え指示を受け付けたか否かを判断する（ステップＳ２２１）。ここで、通信用の識別情報の切り替え指示を受け付けるまで待ち（ステップＳ２２１：Ｎｏのループ）、切り替え指示を受け付けると（ステップＳ２２１：Ｙｅｓ）、現在、通信用の識別情報に設定されている識別情報が通常用の識別情報か否かを判断する（ステップＳ２２２）。【００７０】
なお、通信端末装置１１０は、通信用の識別情報の切り替え指示を受け付けるまでの待機状態ステップＳ２２１において、識別情報の設定変更を受け付けるまでの待機中であっても、図２−１の処理によって設定された通信用の識別情報を利用して選択された送信先との通信が適宜おこなわれている。【００７１】
ステップＳ２２２において、設定中の識別情報が通常用の識別情報であった場合（ステップＳ２２２：Ｙｅｓ）、設定中の識別情報を保留状態に設定するとともに、保留状態をあらわす報知情報を通信管理装置１２０に送信して報知する（ステップＳ２２３）。そして、あらたな識別情報を通信用の識別情報に設定するとともに、この識別情報の切り替えをあらわす報知情報を通信管理装置１２０に送信して報知する（ステップＳ２２４）。【００７２】
通信管理装置１２０への報知が終わると、あらたに設定した識別情報を利用した通信を開始する（ステップＳ２２５）。なお、通信の開始とは、図２−１のステップＳ２１７と同様に、送信先とのデータの送受信処理と、受信待機との双方の動作を含む。【００７３】
その後、通常用の識別情報の復帰指示を受け付けたか否かを判断する（ステップＳ２２６）。ここでも通常用の識別情報の復帰指示を受け付けるまで待ち（ステップＳ２２６：Ｎｏのループ）、復帰指示を受け付けると（ステップＳ２２６：Ｙｅｓ）、保留状態になっていた通常用の識別情報を通信用の識別情報に設定するとともに、通常用の識別情報の設定をあらわす報知情報を通信管理装置１２０に送信して報知する（ステップＳ２２７）。そして、ステップＳ２２７において設定した識別情報を利用して通信を開始する（ステップＳ２２８）。通信開始後は、ステップＳ２２１の処理に戻り、識別情報の切り替え指示を受け付けるまで待機状態となる（ステップＳ２２１：Ｎｏのループ）。【００７４】
また、ステップＳ２２２において、通信端末装置１１０に設定中の識別情報が通常用の識別情報ではない場合（ステップＳ２２２：Ｎｏ）、設定中の識別情報は、特別用の識別情報であると判断される。したがって、現在、通信用の識別情報に設定されている識別情報の設定を解除するとともに、この識別情報の設定の解除をあらわす報知情報を通信管理装置１２０に送信して報知する（ステップＳ２２９）。【００７５】
そして、あらたな識別情報を通信用の識別情報に設定するとともに、この識別情報への切り替えをあらわす報知情報を通信管理装置１２０に送信して報知する（ステップＳ２３０）。通信用の識別情報があらたに設定されると、この通信用の識別情報を利用した通信を開始する（ステップＳ２２８）。通信開始後は、ステップＳ２２１の処理に戻り、識別情報の切り替え指示を受け付けるまで待機状態となる（ステップＳ２２１：Ｎｏのループ）。【００７６】
このように通信端末装置１１０は、設定部１１１によって識別情報の切り替え指示を適宜受け付けるとともに、識別情報の切り替えの内容に応じて、切り替え前の識別情報を保留状態もしくは利用終了に設定することができる。また、報知部１１２によって通信用の識別情報の切り替えの内容を通信管理装置１２０に報知することができる。【００７７】
（通信管理装置の処理の内容）
つぎに、本実施の形態にかかる通信管理装置１２０の処理の内容について説明する。図３は、本実施の形態にかかる通信管理装置の処理の内容を示すフローチャートである。図３のフローチャートにおいて、まず、受付部１２１が、通信端末装置１１０（たとえば、通信端末装置１１０Ａ）からの識別情報設定の報知情報を受け付けたか否かを判断する（ステップＳ３０１）。ここで、識別情報設定の報知情報を受け付けるまで待ち（ステップＳ３０１：Ｎｏのループ）、報知情報を受け付けると（ステップＳ３０１：Ｙｅｓ）、設定部１２２において報知された識別情報を監視対象に設定する（ステップＳ３０２）。【００７８】
その後、受付部１２１が、通信端末装置１１０Ａからの識別情報変更・保留の通知情報を受け付けたか否かを判断する（ステップＳ３０３）。ここで、識別情報変更・保留の通知情報を受け付けると（ステップＳ３０３：Ｙｅｓ）、現在、監視対象に設定中の識別情報、すなわち、ステップＳ３０２において設定した識別情報の監視を保留状態とする。さらに、報知された識別情報をあらたに監視対象に設定する（ステップＳ３０４）。また、ステップＳ３０３において所定時間経過しても識別情報変更・保留の通知情報を受け付けなかった場合は（ステップＳ３０３：Ｎｏ）、ステップＳ３０７の処理に移行する。【００７９】
ステップＳ３０４によって識別情報が保留された後は続いて受付部１２１が、識別情報復帰の報知情報を受け付けたか否かを判断する（ステップＳ３０５）。ここで、識別情報復帰の報知情報を受け付けると（ステップＳ３０５：Ｙｅｓ）、ステップＳ３０４において保留状態となった識別情報を監視対象に復帰させる（ステップＳ３０６）。一方、所定時間経過しても識別情報復帰の通知情報を受け付けなかった場合は（ステップＳ３０５：Ｎｏ）、ステップＳ３０７の処理に移行する。【００８０】
一方、ステップＳ３０３において識別情報変更・保留の報知情報を受け付けなかった場合（ステップＳ３０３：Ｎｏ）、ステップＳ３０５において識別情報復帰の報知情報を受け付けなかった場合（ステップＳ３０５：Ｎｏ）、もしくは、ステップＳ３０６において保留状態の識別情報を監視対象に復帰させた場合には（ステップＳ３０６）、続いて、通信端末装置１１０Ａから識別情報変更・解除の報知情報を受け付けたか否かを判断する（ステップＳ３０７）。【００８１】
ステップＳ３０７において、識別情報変更・解除の報知情報を受け付けると（ステップＳ３０７：Ｙｅｓ）、設定中の識別情報を監視対象から解除し、報知された識別情報を監視対象に設定する（ステップＳ３０８）。ステップＳ３０８の設定が終了すると、ステップＳ３０３の処理に戻り、あらたに識別情報変更・保留の報知情報を受け付けたかを判断し、判断結果に応じた処理を繰り返す。一方、ステップＳ３０７において、識別情報変更・終了の報知情報を受け付けなかった場合（ステップＳ３０７：Ｎｏ）、そのままステップＳ３０３の処理に戻り、報知情報の受け付けに応じた処理を繰り返す。【００８２】
このように、通信管理装置１２０は、通信端末装置１１０から送信される報知情報に応じて、通信端末装置１１０の通信管理のために監視対象となる識別情報を切り替える。したがって、通信端末装置１１０において設定される通信用の識別情報が頻繁に切り替わっても、現在利用されている識別情報によって通信を管理することができる。【００８３】
また、上述したステップＳ３０４において保留状態になった識別情報に対しては、ステップＳ３０６によって復帰されるまでの間に、保留状態の識別情報に宛てられた送信データを保管する、または、保留状態の識別情報に宛てて送信をおこなった通信端末装置１１０に保留状態を報知するなど、対応処置を設定することができる。【００８４】
以上説明したように、本実施の形態によれば、通信端末装置１１０が通信相手となる通信端末装置１１０ごとに、通常用の識別情報か、特別用の識別情報かのいずれかを利用した通信を実現することができる。【００８５】
また、通信端末装置１１０が通信先を変更し、通信が中断された場合であっても、通信管理装置１２０は、中断された送信先に応じて、通信を保留するか終了するかのいずれかの設定を使い分けることができる。また、通常用の識別情報として固有の識別情報を利用した場合には、通信内容を保留し、情報の受信漏れを防ぐことができる。
【実施例】
【００８６】
以下にこの発明の実施例について説明する。本実施例では、実施の形態にかかる通信端末装置１１０を携帯電話端末やナビゲーション装置の機能の一部に適用させた場合について説明する。また、実施の形態にかかる通信管理装置１２０は、上記の携帯電話端末やナビゲーション装置が通信をおこなう際に利用する中継センターを構成する中継装置（たとえば、サーバ装置）により、その機能を実現する。【００８７】
（システム構成）
まず、本実施例のシステム構成について説明する。図４−１、４−２は、本実施例のシステム構成の概要を示す説明図である。図４−１では、通信端末装置１１０を携帯電話端末に搭載した場合の構成例をあらわしている。また、図４−２では、通信端末装置１１０をナビゲーション装置に搭載した場合の構成例をあらわしている。【００８８】
図４−１の通信システム４００は、携帯電話端末を携帯したユーザ４０１Ａ〜４０１Ｃがそれぞれ中継装置４０２を利用して通信をおこなう。また、通信システム４００において、通信局４０１Ｄのように常に固定位置から利用する通信端末装置を含んでいてもよい。通信システム４００において、各ユーザ４０１Ａ〜４０１Ｃは、他のユーザや通信局４０１Ｄに通信をおこなう際に、通信相手に応じて任意のＩＤを設定することができる。【００８９】
具体的は、たとえば、ユーザ４０１Ａから他のユーザ４０１Ｂや４０１Ｃに通信をおこなう場合、ユーザ４０１Ａでは、携帯電話端末に設定されている通常のＩＤ（たとえば、各装置にユニークに付与された製造番号など装置を識別させる情報）を利用し、通信局４０１Ｄと通信をおこなう際には、特別用のＩＤ（たとえば、通信局４０１用に設定された識別情報や、ランダムな匿名用ＩＤであるＬＩＤなど）を利用して通信をおこなう。【００９０】
また、各ユーザ４０１Ａ〜４０１Ｃの携帯電話端末は、通常用、特別用のいずれかのＩＤが設定されると、この設定を中継装置４０２に報知する処理をおこなう。さらに、ユーザ４０１Ａ〜４０１Ｃが携帯電話端末によって通信をおこなう際のＩＤを変更した場合には、どのＩＤの利用を終了もしくは保留し、あらたにどのＩＤを利用するかという変更内容を中継装置４０２に報知する。【００９１】
中継装置４０２は、ユーザ４０１Ａ〜４０１Ｃから、どのようなＩＤを設定したかの報知を受け付けると、報知されたＩＤを監視対象として、各ユーザ４０１Ａ〜４０１Ｃの通信を管理する。また、上述のように、通信に利用するＩＤが変更になった旨の報知を受け付けると、報知された変更内容に応じて、監視対象とするＩＤを変更する。したがって、中継装置４０２は、ユーザ４０１Ａ〜４０１Ｃの携帯電話端末の利用ＩＤが変更されても、どの携帯端末装置が、どのＩＤを利用しているかを把握し、正確に管理することができる。【００９２】
一方、図４−２の通信システム４１０は、車両に搭載されたナビゲーション装置を利用してユーザが他の車両やサービス事業者と通信をおこなう。具体的には、車両４１１から送信される通信要求を、ビーコン４１２を経由して通信センター４１３が受信し、この通信センター４１３を経由して送信先に指定された他の車両４１１に搭載されたナビゲーション装置や、サービス事業者（たとえば事業者Ａ〜Ｃ）４１４などとの通信を確立させるシステムである。【００９３】
たとえば、車両４１１から他のナビゲーション装置やサービス事業者４１４へ通信要求をおこなう際、利用者は、通常通信と、特定のサービスを受けるための特別通信とのいずれかをおこなうかを選択する。ここでは、一例として、他の車両４１１と通信をおこなう場合には通常通信、サービス事業者４１４と通信をおこなう場合には特別通信をおこなうこととする。図４−１の通信システム４００と同様に、通常通信には、通常のＩＤ、特別通信には、特別用のＩＤを利用する。【００９４】
（ナビゲーション装置のハードウェア構成）
つぎに、上述した実施例のうち、通信システム４１０におけるナビゲーション装置のハードウェア構成について説明する。図５は、ナビゲーション装置のハードウェア構成を示すブロック図である。このナビゲーション装置５００は、車両に搭載された状態で利用される。【００９５】
図５のように、ナビゲーション装置５００は、ＣＰＵ５０１と、ＲＯＭ５０２と、ＲＡＭ（メモリ）５０３と、磁気ディスクドライブ５０４と、磁気ディスク５０５と、光ディスクドライブ５０６と、光ディスク５０７と、音声Ｉ／Ｆ（インターフェース）５０８と、マイク５０９と、スピーカ５１０と、入力デバイス５１１と、映像Ｉ／Ｆ５１２と、ディスプレイ５１３と、カメラ５１４と、通信Ｉ／Ｆ５１５と、ＧＰＳユニット５１６と、各種センサ５１７と、を含んで構成される。また、各構成部５０１〜５１７は、バス５２０によってそれぞれ接続されている。【００９６】
ＣＰＵ５０１は、ナビゲーション装置５００の全体の制御を司る。ＲＯＭ５０２は、ブートプログラム、ナビゲーションプログラム、通信プログラムなどのプログラムを記録している。ＲＡＭ５０３は、ＣＰＵ５０１のワークエリアとして使用される。【００９７】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やＦＤ（フレキシブルディスク）を用いることができる。【００９８】
光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータが読み出される着脱自在な記録媒体である。光ディスク５０７は、書き込み可能な記録媒体を利用することもできる。また、この着脱可能な記録媒体として、光ディスク５０７のほか、ＭＯ、メモリカードなどであってもよい。【００９９】
また、本実施例の場合、磁気ディスク５０５や光ディスク５０７などの記録手段の中のいずれかの記録領域に情報生成プログラムにより生成された走行情報が蓄積される。さらに、磁気ディスク５０５や光ディスク５０７に記録される情報の他の一例として、経路探索・経路誘導などに用いる地図データが挙げられる。地図データは、建物、河川、地表面などの地物（フィーチャ）をあらわす背景データと、道路の形状をあらわす道路形状データとを有しており、ディスプレイ５１３の表示画面において２次元または３次元に描画される。ナビゲーション装置５００が経路誘導中の場合は、地図データとＣＰＵ５０１によって取得された車両の現在地点とが重ねて表示されることとなる。【０１００】
音声Ｉ／Ｆ５０８は、音声入力用のマイク５０９および音声出力用のスピーカ５１０に接続される。マイク５０９に受音された音声は、音声Ｉ／Ｆ５０８内でＡ／Ｄ変換される。また、スピーカ５１０からは音声が出力される。なお、マイク５０９から入力された音声は、音声データとして磁気ディスク５０５または光ディスク５０７に記録可能である。【０１０１】
入力デバイス５１１は、文字、数値、各種指示などの入力のための複数のキーを備えたリモコン、キーボード、マウス、タッチパネルなどが挙げられる。さらに、入力デバイス５１１は、デジタルカメラや携帯電話端末などの他の情報処理端末を接続し、データの入出力をおこなうことができる。【０１０２】
映像Ｉ／Ｆ５１２は、映像出力用のディスプレイ５１３および映像入力用のカメラ５１４と接続される。映像Ｉ／Ｆ５１２は、具体的には、たとえば、ディスプレイ５１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ５１３を表示制御する制御ＩＣなどによって構成される。【０１０３】
ディスプレイ５１３には、アイコン、カーソル、メニュー、ウインドウ、あるいは文字や画像などの各種データが表示される。このディスプレイ５１３は、たとえば、ＣＲＴ、ＴＦＴ液晶ディスプレイ、プラズマディスプレイなどを採用することができる。カメラ５１４は、車両内外の映像を撮像し、画像データとして出力する。カメラ５１４で撮像された画像は、画像データとして磁気ディスク５０５あるいは光ディスク５０７に記録可能である。【０１０４】
通信Ｉ／Ｆ５１５は、ビーコン４１２（図４−２参照）と無線通信をおこない、このビーコン４１２を介して通信センター４０３に情報を送信する。また、通信Ｉ／Ｆ５１５は、ビーコン４１２に限らず様々な通信網へ接続し情報の送受信をおこなう。【０１０５】
通信Ｉ／Ｆ５１５が接続する通信網としては、ＬＡＮ、ＷＡＮ、公衆回線網や携帯電話網などがある。具体的には、通信Ｉ／Ｆ５１５は、たとえば、ＦＭチューナー、ＶＩＣＳ／ビーコンレシーバ、無線ナビゲーション装置、およびその他のナビゲーション装置によって構成され、ビーコン４１２から配信される渋滞や交通規制などの道路交通情報を取得する。道路交通情報としては、たとえば、ＶＩＣＳ情報を受信する。このＶＩＣＳ情報は、道路交通情報通信システム（ＶＩＣＳ）により、渋滞、事故、規制などの道路交通情報が提供される。そして、取得されたＶＩＣＳ情報は、ナビゲーション装置５００上で、リアルタイムに表示される。なお、ＶＩＣＳは登録商標である。【０１０６】
ＧＰＳユニット５１６は、ＧＰＳ衛星からの電波を受信し、ナビゲーション装置５００を搭載した車両４１１（図４−２参照）の位置に関する情報を出力する。ＧＰＳユニット５１６の出力情報は、後述する各種センサ５１７の出力値とともに、ＣＰＵ５０１による車両４１１の現在地点の算出に際して利用される。現在地点を示す情報は、たとえば緯度・経度、高度などの、地図データ上の１点を特定する情報である。【０１０７】
各種センサ５１７は、車速センサや角速度センサなどであり、車両の位置や挙動を判断するための情報を出力する。各種センサ５１７の出力値は、ＣＰＵ５０１による車両の現在地点の算出や、速度や方位の変化量の測定に用いられる。【０１０８】
なお、上述したナビゲーション装置５００のハードウェア構成に対応させると、図１に示した通信端末装置１１０の、設定部１１１は、たとえばＣＰＵ５０１、ＲＯＭ５０２およびＲＡＭ５０３によりその機能を実現する。また、報知部１１２、通信部１１４および受付部１１５は、たとえばＣＰＵ５０１、ＲＯＭ５０２、ＲＡＭ５０３および通信Ｉ／Ｆ５１５によりそれぞれその機能を実現する。選択部１１３は、たとえばＣＰＵ５０１、ＲＯＭ５０２、ＲＡＭ５０３および入力デバイス５１１によりその機能を実現する。【０１０９】
また、図４−１にて説明した通信システム４００の携帯電話端末の場合には、図５にて説明したナビゲーション装置５００のハードウェア構成から磁気ディスクドライブ５０４、磁気ディスク５０５、光ディスクドライブ５０６および光ディスク５０７を省いた構成（携帯電話端末の種類によってはＧＰＳユニット５１６も含まない場合もある）となる。【０１１０】
（サーバ装置のバードウェア構成）
つぎに、通信センター４１３に内蔵されたサーバ装置のハードウェア構成について説明する。図６は、通信センター内蔵されたサーバ装置のハードウェア構成を示すブロック図である。図６のように、サーバ装置６００は、ＣＰＵ６０１と、ＲＯＭ６０２と、ＲＡＭ６０３と、磁気ディスクドライブ６０４と、磁気ディスク６０５と、入力デバイス６０６と、通信Ｉ／Ｆ（インターフェース）６０７と、を備えている。また、各構成部６０１〜６０７は、バス６１０によりそれぞれ接続されている。【０１１１】
ＣＰＵ６０１は、サーバ装置６００の全体の制御を司る。ＲＯＭ６０２は、ブートプログラムの他に、情報収集プログラム、通信プログラムなどのプログラムを記録している。【０１１２】
ＲＡＭ６０３は、ＣＰＵ６０１のワークエリアとして使用される。磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。【０１１３】
入力デバイス６０６は、文字、数値、各種指示などの入力のための入力ボタンが備えられている。また、外部接続コネクタを設けて、独立したキーボードを接続して入力させてもよい。なお、入力デバイス６０６は、通信を管理する通信センター４１３に内蔵されたサーバ装置６００という特殊な用途をもった装置に備えられているため、特定の管理人のみが使用できるような特殊な機器であってもよい。【０１１４】
通信Ｉ／Ｆ（インターフェース）６０７は、無線を介して通信ネットワークに接続され、ナビゲーション装置５００や、他の通信端末装置やサービス事業者４１４と、ＣＰＵ６０１とのインターフェースとして機能する。通信Ｉ／Ｆ６０７を介したナビゲーション装置５００と、他の通信端末装置間や、サービス事業者４０４との通信は、直接おこなってもよいし、所定の基地局を介しておこなってもよい。通信Ｉ／Ｆ６０７は、さらに、無線を介してインターネットなどの通信網に接続され、この通信網とＣＰＵ６０１とのインターフェースとしても機能する。【０１１５】
なお、上述したサーバ装置６００のハードウェア構成に対応させると、図１に示した通信管理装置１２０の受付部１２１は、たとえばＣＰＵ６０１、ＲＯＭ６０２、ＲＡＭ６０３および通信Ｉ／Ｆ６０７によりその機能を実現する。また、設定部１２２は、たとえばＣＰＵ６０１、ＲＯＭ６０２およびＲＡＭ６０３によりその機能を実現する。保管部１２３は、たとえばＣＰＵ６０１、ＲＯＭ６０２、ＲＡＭ６０３、磁気ディスクドライブ６０４、磁気ディスク６０５および通信Ｉ／Ｆ６０７によりその機能を実現する。また、図４−１にて説明した通信システム４００の中継装置４０２の場合も同様の構成を備えている。【０１１６】
（ナビゲーション装置の通信保留処理の内容）
つぎに、本実施例のシステムにおいて、ナビゲーション装置５００が特定のサービス事業者４１４との通信を保留する際の処理の内容について説明する。なお、ここでは、通信システム４１０の例を用いて説明するが、通信システム４００にて説明した携帯電話端末を利用した場合も同様の処理を実現することができる。【０１１７】
図７は、ナビゲーション装置の通信保留処理の内容を示すフローチャートである。図７のフローチャートにおいて、まず、ナビゲーション装置５００は、通信用ＩＤを変更するか否かを判断する（ステップＳ７０１）。ここで、通信用ＩＤの変更指示を受け付けるまで待ち（ステップＳ７０１：Ｎｏのループ）、通信用ＩＤの変更指示を受け付けると（ステップＳ７０１：Ｙｅｓ）、現在ナビゲーション装置５００が利用中の通信用ＩＤは、特別用ＩＤか否かを判断する（ステップＳ７０２）。【０１１８】
ステップＳ７０２において、利用中の通信ＩＤが特別用ＩＤであった場合は（ステップＳ７０２：Ｙｅｓ）、特別用ＩＤの利用を終了するため、現ＩＤの終了通知を通信センター４１３に送信する（ステップＳ７０３）。一方、利用中の通信ＩＤが特別用ＩＤではなかった場合は（ステップＳ７０２：Ｎｏ）、利用中の通信ＩＤは通常用ＩＤであるため、現ＩＤの保留通知を通信センター４１３に送信する（ステップＳ７０４）。【０１１９】
その後、新しい通信用ＩＤに設定し、通信を開始する（ステップＳ７０５）。なお、ここで通信の開始とは、実際に指定された送信先との双方向通信をおこなう場合に限らず、通信待機状態も通信の開始に含まれる。【０１２０】
ナビゲーション装置５００は、新しい通信用ＩＤによる通信が開始された後、保留中のＩＤを復帰させるか否かを判断する（ステップＳ７０６）。この保留中のＩＤの復帰判断は、利用者からの復帰指示が入力されたか否かに基づいておこなう。ここで、保留中のＩＤを復帰させると判断されるまで待ち（ステップＳ７０６：Ｎｏのループ）、復帰させると判断されると（ステップＳ７０６：Ｙｅｓ）、通信センター４０３に現ＩＤの終了通知を送信する（ステップＳ７０７）。また、ステップＳ７０６において、ＩＤの復帰判断がなされるまでの待機状態の間、通信センター４１３のサーバ装置６００は、ステップＳ７０５において設定された新しい通信用ＩＤを監視対象とした通信がおこなわれている。【０１２１】
ステップＳ７０７の処理が終わると、保留中のＩＤを通信用ＩＤに再設定し、通信センター４１３に保留解除通知を送信する（ステップＳ７０８）。最後に、設定したＩＤを通信用ＩＤに利用して通信を再開させ（ステップＳ７０９）、一連の処理を終了する。【０１２２】
このように、ナビゲーション装置５００は、通信用ＩＤを適宜変更することができる。また、変更の際に、現在利用している通信用ＩＤ（現ＩＤ）の種類に応じて、現ＩＤを利用した通信を一時的に保留状態に設定することができる。なお、図７のフローチャートでは、通信再開によって処理を終了しているが、ナビゲーション装置５００において、あらたに通信用ＩＤの変更がおこなわれる場合には、再度ステップＳ７０１からの処理が開始される。【０１２３】
（通信センターに内蔵されたサーバ装置の通信保留処理の内容）
つぎに、ナビゲーション装置５００において、図７のような通信保留処理がおこなわれた場合の通信センター４０３に内蔵されたサーバ装置６００の通信保留処理について説明する。図８は、サーバ装置の通信保留処理の内容を示すフローチャートである。なお、通信システム４００の場合には、中継装置４０２が、以下説明する処理をおこなう。【０１２４】
これから説明する処理において、通信センター４１３のサーバ装置６００は、ナビゲーション装置５００からの通知に応じて、所定のＩＤを通信用ＩＤ設定されているものとする。図８のフローチャートにおいて、まず、ナビゲーション装置５００からの通信用ＩＤの保留通知を受信したか否かを判断する（ステップＳ８０１）。ここで、保留通知を受信するまで待ち（ステップＳ８０１：Ｎｏのループ）、保留通知を受信すると（ステップＳ８０１：Ｙｅｓ）、現ＩＤを利用した通信を保留設定にする（ステップＳ８０２）。【０１２５】
ステップＳ８０２の保留設定後、サーバ装置６００は、いずれかのナビゲーション装置５００から保留設定したＩＤ宛ての送信情報を受信したか否かを判断する（ステップＳ８０３）。ここで、保留設定したＩＤ宛ての送信情報を受信した場合（ステップＳ８０３：Ｙｅｓ）、受け付けた送信情報を一時保管し、送信情報の送信元へ宛先のＩＤの保留設定情報を返信する（ステップＳ８０４）。一方、ステップＳ８０３において、保留設定したＩＤ宛ての送信情報を受信しなかった場合は（ステップＳ８０３：Ｎｏ）、そのままステップＳ８０５の処理に移行する。【０１２６】
その後、保留通知の送信元のナビゲーション装置５００から保留解除通知を受信したか否かを判断する（ステップＳ８０５）。ここで、保留解除通知を受信するまで待ち（ステップＳ８０５：Ｎｏのループ）、保留解除通知を受信すると（ステップＳ８０５：Ｙｅｓ）、保留設定を解除し、保留設定されていたＩＤを利用した通信を再開する（ステップＳ８０６）。【０１２７】
ステップＳ８０６によって保留設定されていたＩＤによる通信が再開されると、続いて、保留中に一時保管した送信情報があるか否かを判断する（ステップＳ８０７）。ここで、一時保管した送信情報がある場合には（ステップＳ８０７：Ｙｅｓ）、ステップＳ８０４において保管した送信情報をナビゲーション装置５００に送信し（ステップＳ８０８）、一連の処理を終了する。一方、ステップＳ８０６において、送信情報が保管されていない場合には（ステップＳ８０６：Ｎｏ）、そのまま一連の処理を終了する。【０１２８】
なお、図８のフローチャートでは、図７の処理に対応して、一旦保留状態になったＩＤが通信用ＩＤに再設定されることによって一連の処理を終了するが、ナビゲーション装置５００から通信用ＩＤの変更に関する通知が送信されると、再度ステップＳ８０１の処理を開始する。【０１２９】
また、図８のフローチャートでは、保留設定したＩＤ宛ての送信情報を受信した場合、受け付けた送信情報を一時保管するとしたが、現在選択されているＩＤが端末を特定するものであれば、送信情報を端末に送信するように設定してもよい。このような処理をおこなう場合、ナビゲーション装置５００には、あらたに保留状態になったＩＤへの送信情報を受信できるような機能を追加する。【０１３０】
つぎに、通信システム４１０の車両４１１Ａにおける具体的なＩＤの切り替え動作について説明する。図９は、ＩＤの切り替え動作の一例を示す説明図である。図９には、車両４１１にユーザが乗車し、エンジンをスタートさせ、任意の走行をおこなった後、エンジンをオフするまでをあらわしている。【０１３１】
図９において、車両４１１Ａがエンジンオン（Ａ）状態になると、通信センター４１３に特別通信をおこなうため、特別用ＩＤ：ＩＤＸ１がランダムに設定される。その後、車両４１１Ａが所定距離Ｘ走行すると、あらたに特別用ＩＤ：ＩＤＸ２がランダムに設定される（Ｂ）。通常、匿名性を守る目的で車両４１１が特別用ＩＤを利用する場合には、車両４１１に所定の事象が発生すると、自動的に特別用ＩＤが切り替わるように設定されている。図９の場合は、上述のように所定の事象として、所定距離走行した場合に、特別用ＩＤが変更されるように設定されている。さらに、図９の場合、ＩＤの切り替えのトリガとなる所定距離も、一定ではなく、毎回変更されるようになっている。【０１３２】
ここで、所定距離Ｘ走行によって特別用ＩＤ：ＩＤＸ２に設定されている車両４１１が、通常用のＩＤを利用して他の車両４１１Ｂと通信を開始させるとする。このような場合、車両４１１Ａは、通信用ＩＤを通常用ＩＤ：ＩＤＡに設定し、通常通信を開始する（Ｃ）。また、このとき、通信相手のＩＤとして、車両４１１Ｂの通常用ＩＤ：ＩＤＢを指定する。【０１３３】
車両４１１Ｂとの通信が終了すると、車両４１１ＡのＩＤでは、また所定距離Ｘ＋α走行したことがトリガとなり特別用ＩＤ：ＩＤＸ３がランダムに設定される（Ｄ）。通信センター４１３では、通常用ＩＤから特別用ＩＤに切り替わった場合に、車両４１１Ａから通常用ＩＤの保留通知が送信される（図７のフローチャート参照）。したがって、通信センター４１３は、車両４１１Ｂから車両４１１Ａの通常用ＩＤ：ＩＤＡに宛てて送信された情報を受け付けた場合に、車両４１１ＡのＩＤが通常用ＩＤ：ＩＤＡに復帰されるまで送信情報を保管する（図８のフローチャート参照）。【０１３４】
その後、車両４１１Ａが車両４１１Ｂとの通信を再開したい場合には、再度通常用ＩＤ：ＩＤＡに設定し、通常通信を再開する（Ｅ）。このとき、通信センター４１３に保管中のＩＤＡ宛の送信情報があった場合には、この送信情報を受信することができる。そして、エンジンオフとともに、特別用ＩＤは、リセットされる（Ｆ）。このとき、車両４１１Ａから通信センター４１３には、現ＩＤの終了通知を送信する。【０１３５】
以上説明したように、同一の車両４１１Ａの通信用ＩＤは、頻繁に切り替えられる。そこで、本実施例は、車両間のナビゲーション装置５００が通信用ＩＤを変更すると、変更内容に応じて、通信用ＩＤを保留状態に設定、もしくは利用終了させる処理がおこなわれる。また、ナビゲーション装置５００における通信用ＩＤの変更および変更内容は、逐一通信センター４０３のサーバ装置６００に通知される。したがって、識別情報が変更されたことによってナビゲーション装置５００の変更前の識別情報に対する情報の受信ができないような事態を防ぐことができる。【０１３６】
さらに、通信用ＩＤとして、ランダムな特別用ＩＤを利用すれば、通信を成立させるとともに利用者が特定されるような事態を防ぐこともできる。また、通常用ＩＤを通信ＩＤに利用した後、通常用ＩＤを一時的に変更する場合には、保留状態になった通常用ＩＤ宛ての送信情報を個別に管理するため、通信漏れが起こらないように保留状態を管理することができる。【０１３７】
また、上述した実施例において、通信用ＩＤとして特別用ＩＤを利用する場合、ナビゲーション装置５００によって用意された特別用ＩＤや、ナビゲーション装置５００によって生成された特別用ＩＤを利用するが、他の実施例として外部からＩＤを取得してもよい。【０１３８】
具体的には、通信センター４１３や、送信先のサービス事業者４１４から提供された特別用ＩＤを受け付ける手法がある。この場合、ナビゲーション装置５００は、特別用ＩＤを利用して通信をおこなう場合、ｎｕｌｌ（空の）のＩＤを通信用のＩＤに設定した通信要求を送信する。【０１３９】
通信センター４１３のサーバ装置６００もしくは、サービス事業者４０４は、ｎｕｌｌのＩＤが設定された通信要求を受信すると、この通信要求に応答して、特別用ＩＤを生成する。生成された特別用ＩＤは、通信要求の送信元のナビゲーション装置５００へ送信される。このように、ナビゲーション装置５００は、特別用ＩＤを取得し、個人を特定されない通信を実現することができる。なお、以上説明した手順は一例に過ぎず、他の手順を用いて特別用ＩＤを取得してもよい。【０１４０】
以上説明した他の実施例の場合も、上述した実施例と同様に、利用者個人を特定されることのない通信を実現することができ、通信を確立する通信先に応じて通常用ＩＤと特別用ＩＤとを併用することができる。【０１４１】
なお、本実施の形態で説明した通信方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2009028059.tif 000003
【図２−１】
2009028059.tif 000004
【図２−２】
2009028059.tif 000005
【図３】
2009028059.tif 000006
【図４−１】
2009028059.tif 000007
【図４−２】
2009028059.tif 000008
【図５】
2009028059.tif 000009
【図６】
2009028059.tif 000010
【図７】
2009028059.tif 000011
【図８】
2009028059.tif 000012
【図９】
2009028059.tif 000013
【手続補正書】
【提出日】平成21年8月3日(2009.8.3)
【手続補正１】
【補正対象書類名】明細書
【補正対象項目名】全文
【補正方法】変更
【補正の内容】
【発明の詳細な説明】
【技術分野】
【０００１】
この発明は、通信管理装置を経由して指定した送信先との通信をおこなう通信端末装置と、通信端末装置間の通信の確立を管理する通信管理装置と、これらの装置における通信方法、通信プログラムおよび記録媒体に関する。ただし、この発明の利用は、上述の通信端末装置、通信管理装置、通信方法、通信プログラムおよび記録媒体に限らない。
【背景技術】
【０００２】
従来、車両に搭載されたナビゲーション装置は、自車位置周辺の地図を車両の走行に応じてスクロール表示するとともに、目的地までの誘導経路を探索してこの地図上に表示して運転者を目的地まで案内する。このようなナビゲーション装置のうち道路交通情報通信システム対応ナビゲーション装置は、当該道路交通情報通信システムが提供する渋滞、事故、規制などの道路交通情報を受信してリアルタイムに地図上に表示する機能を有している。
【０００３】
上述のような道路交通情報を利用することにより、運転者は、渋滞道路、通行規制道路、事故発生道路を回避して目的地に到達できるようになる。また、近年では、ナビゲーション装置が道路交通情報を利用するための手段として、道路上に光ビーコンや電波ビーコンなどのビーコンが配置されている。これらのビーコンからは道路交通情報が送信されており、車両がビーコンの通信可能範囲内を通過することによって、ナビゲーション装置は道路交通情報を受信することができる（たとえば、下記特許文献１参照。）。
【０００４】
また、ナビゲーション装置は、ビーコンから送信される道路交通情報を受信するだけではなく、走行速度や、走行位置など自車両の走行に関する情報をビーコンへ送信することもできる。たとえば、車両からビーコンへ走行に関する情報を送信することによって、さらにビーコンを介して所定の送信先に走行に関する情報を送信することもできる。送信先では、受信した各車両の走行に関する情報から渋滞情報などを生成することができる。この送信先において生成された渋滞情報を、ビーコンを介してナビゲーション装置に配信することによって、車両から受信した情報を車両へフィードバックすることもできる。
【０００５】
上述のようにナビゲーション装置からビーコンを介して所定の送信先へ車両の走行に関する情報を送信するには、ナビゲーション装置を特定するための固有の識別情報が必要となる。すなわち、当該所定の送信先に車両に関する情報を送信するためには、通信事業者によって通信接続を確立しなければならず、また、通信接続の確立にかかる費用や当該送信先に対する通信利用料をナビゲーション装置の利用者に対して課金する必要がある。そこで、一つのナビゲーション装置に対してそのナビゲーション装置を特定するために、たとえば、ユニークとなる固有の識別情報を割り当てる手法が利用されている。ナビゲーション装置は、割り当てられた固有の識別情報を走行に関する情報に付加して所定の送信先に送信する。
【先行技術文献】
【特許文献】
【０００６】
【特許文献１】特開２００６−３２９２号公報
【発明の概要】
【発明が解決しようとする課題】
【０００７】
しかしながら、上述のようにナビゲーション装置を特定する固有の識別情報を付加して走行に関する情報を送信する場合には、送信先に、ナビゲーション装置の利用者の行動が捕捉されてしまう可能性がある。したがって、ナビゲーション装置の利用者の行動が所定の送信先に特定されてしまい、利用者によっては、個人の行動を特定されてしまうことに嫌悪感を抱く場合があるという問題が一例として挙げられる。
【０００８】
また、上述のように利用者の特定を避けるために、ナビゲーション装置を特定する固有の識別情報に替わって、ナビゲーション装置の利用者が特定されないように、ランダム、もしくは通信をおこなう度に異なる識別情報を利用する手法も提案されている。しかしながら、上述のように頻繁に識別情報を切り替えた場合、送信先が送信元の挙動を特定するのは難しくなるが、同時に、送信先から送信元へ有用な情報を返信した場合に、送信元の識別情報が切り替わってしまっている。したがって送信元のナビゲーション装置が有用な情報を受信できないという事態が発生してしまうという問題が一例として挙げられる。
【課題を解決するための手段】
【０００９】
請求項１の発明にかかる通信端末装置は、通信管理装置を経由して指定した送信先との通信をおこなう通信端末装置であって、装置ごとにユニークに設定されている通常用の識別情報と、前記通常用の識別情報以外の特別用の識別情報とのいずれかを、通信用の識別情報に設定する設定手段と、前記設定手段において、いずれかの通信用の識別情報が設定されると、当該設定をあらわす報知情報を前記通信管理装置に送信する報知手段と、送信先の通信端末装置の選択を受け付ける選択手段と、前記設定手段により設定された通信用の識別情報を利用して前記選択手段により受け付けた送信先との通信をおこなう通信手段と、を備え、前記設定手段は、前記通常用の識別情報が通信用の識別情報として設定された後に、前記切り替え指示を受け付けると、当該切り替え指示に応じて、あらたな通信用の識別情報に設定するとともに、前記切り替えられた通常用の識別情報を保留状態とし、前記報知手段は、前記設定手段があらたな通信用の識別情報を設定し、前記通常用の識別情報を保留状態にすると、当該設定の切り替えおよび保留をあらわす報知情報を前記通信管理装置に送信することを特徴とする。
【００１０】
また、請求項５の発明にかかる通信端末装置は、通信管理装置を経由して指定した送信先との通信をおこなう通信端末装置であって、装置ごとにユニークに設定されている通常用の識別情報と、前記通常用の識別情報以外の特別用の識別情報とのいずれかを、通信用の識別情報に設定する設定手段と、前記設定手段において、いずれかの通信用の識別情報が設定されると、当該設定をあらわす報知情報を前記通信管理装置に送信する報知手段と、送信先の通信端末装置の選択を受け付ける選択手段と、前記設定手段により設定された通信用の識別情報を利用して前記選択手段により受け付けた送信先との通信をおこなう通信手段と、を備え、前記設定手段は、前記特別用の識別情報が通信用の識別情報として設定された後、通信用の識別情報の変更指示を受け付けると、当該変更指示に応じて、あらたな通信用の識別情報に設定するとともに、変更前の前記特別用の識別情報を通信用の識別情報の設定から解除して保留状態とし、前記報知手段は、前記設定手段があらたな通信用の識別情報を設定し、前記特別用の識別情報を保留状態にすると、当該設定変更、保留をあらわす報知情報を前記通信管理装置に送信することを特徴とする。
【００１１】
また、請求項９の発明にかかる通信管理装置は、通信端末装置間の通信の確立を管理する通信管理装置であって、前記通信端末装置から、当該通信端末装置が通信をおこなう際に利用する通信用の識別情報の設定をあらわす報知情報を受け付ける受付手段と、前記受付手段が前記報知情報を受け付けると、当該報知情報によって報知された通信用の識別情報を、前記通信端末装置の通信状態を管理するための監視対象の識別情報に設定する設定手段と、を備え、前記設定手段は、前記受付手段が通信端末装置から通信用の識別情報の保留状態への設定をあらわす報知情報を受け付けると、前記報知情報に応じて、前記通信端末装置の識別情報を、通信状態を管理するための監視対象から解除し保留状態として管理することを特徴とする。
【００１２】
また、請求項１３の発明にかかる通信方法は、通信管理装置を経由して指定した送信先との通信をおこなう通信端末装置の通信方法であって、装置ごとにユニークに設定されている通常用の識別情報と、前記通常用の識別情報以外の特別用の識別情報とのいずれかを、通信用の識別情報に設定する設定工程と、前記設定工程において、いずれかの通信用の識別情報が設定されると、当該設定をあらわす報知情報を前記通信管理装置に送信する報知工程と、送信先の通信端末装置の選択を受け付ける選択工程と、前記設定工程により設定された通信用の識別情報を利用して前記選択工程により受け付けた送信先との通信をおこなう通信工程と、を含み、前記設定工程は、前記通常用の識別情報が通信用の識別情報として設定された後に、前記切り替え指示を受け付けると、当該切り替え指示に応じて、あらたな通信用の識別情報に設定するとともに、前記切り替えられた通常用の識別情報を保留状態とし、前記報知工程は、前記設定工程があらたな通信用の識別情報を設定し、前記通常用の識別情報を保留状態にすると、当該設定の切り替えおよび保留をあらわす報知情報を前記通信管理装置に送信することを特徴とする。
【００１３】
また、請求項１４の発明にかかる通信方法は、通信管理装置を経由して指定した送信先との通信をおこなう通信端末装置の通信方法であって、装置ごとにユニークに設定されている通常用の識別情報と、前記通常用の識別情報以外の特別用の識別情報とのいずれかを、通信用の識別情報に設定する設定工程と、前記設定工程において、いずれかの通信用の識別情報が設定されると、当該設定をあらわす報知情報を前記通信管理装置に送信する報知工程と、送信先の通信端末装置の選択を受け付ける選択工程と、前記設定工程により設定された通信用の識別情報を利用して前記選択工程により受け付けた送信先との通信をおこなう通信工程と、を含み、前記設定工程は、前記特別用の識別情報が通信用の識別情報として設定された後、通信用の識別情報の変更指示を受け付けると、当該変更指示に応じたあらたな通信用の識別情報に設定するとともに、変更前の前記特別用の識別情報を通信用の識別情報の設定から解除して保留状態とし、前記報知工程は、前記設定工程があらたな通信用の識別情報を設定し、前記特別用の識別情報を保留状態にすると、当該設定変更、保留をあらわす報知情報を前記通信管理装置に送信することを特徴とする。
【００１４】
また、請求項１５の発明にかかる通信方法は、通信端末装置間の通信の確立を管理する通信管理装置の通信方法であって、前記通信端末装置から、当該通信端末装置が通信をおこなう際に利用する通信用の識別情報の設定をあらわす報知情報を受け付ける受付工程と、前記受付工程が前記報知情報を受け付けると、当該報知情報によって報知された通信用の識別情報を、前記通信端末装置の通信状態を管理するための監視対象の識別情報に設定する設定工程と、を含み、前記設定工程は、前記受付工程が通信端末装置から通信用の識別情報の保留状態への設定をあらわす報知情報を受け付けると、前記報知情報に応じて、前記通信端末装置の識別情報を、通信状態を管理するための監視対象から解除し保留状態として管理することを特徴とする。
【００１５】
また、請求項１６の発明にかかる通信プログラムは、請求項１３〜１５に記載の通信方法をコンピュータに実行させることを特徴とする。
【００１６】
また、請求項１７の発明にかかる記録媒体は、請求項１６に記載の通信プログラムをコンピュータに読み取り可能に記録したことを特徴とする。
【図面の簡単な説明】
【００１７】
【図１】この発明の実施の形態のシステム構成を示すブロック図である。
【図２−１】通信端末装置の識別情報設定処理の内容を示すフローチャートである。
【図２−２】通信端末装置の識別情報変更処理の内容を示すフローチャートである。
【図３】本実施の形態にかかる通信管理装置の処理の内容を示すフローチャートである。
【図４−１】本実施例のシステム構成の概要を示す説明図（その１）である。
【図４−２】本実施例のシステム構成の概要を示す説明図（その２）である。
【図５】ナビゲーション装置のハードウェア構成を示すブロック図である。
【図６】通信センターに内蔵されたサーバ装置のハードウェア構成を示すブロック図である。
【図７】ナビゲーション装置の通信保留処理の内容を示すフローチャートである。
【図８】サーバ装置の通信保留処理の内容を示すフローチャートである。
【図９】ＩＤの切り替え動作の一例を示す説明図である。
【発明を実施するための形態】
【００１８】
以下に添付図面を参照して、この発明にかかる通信端末装置、通信管理装置、通信方法、通信プログラムおよび記録媒体の好適な実施の形態を詳細に説明する。
【００１９】
（システム構成）
まず、この発明の実施の形態のシステム構成について説明する。図１は、この発明の実施の形態のシステム構成を示すブロック図である。図１に示すように本実施の形態は、通信端末装置１１０（１１０Ａ，１１０Ｂ，１１０Ｃ）と、通信管理装置１２０とを含んだシステム構成により実現される。
【００２０】
通信端末装置１１０（たとえば、通信端末装置１１０Ａ）は、通信管理装置１２０を経由して指定した（または、所定の）送信先の通信端末装置１１０（たとえば、通信端末装置１１０Ｂ）との通信を確立する。通信確立後は、通信端末装置１１０Ａと通信端末装置１１０Ｂとの間で双方向通信をおこなうことができる。通信管理装置１２０は、通信端末装置１１０間の通信を確立する。
【００２１】
また、図１に示したような通信端末装置１１０がそれぞれ指定した送信先と双方向通信をおこなうには、送信元となる自装置を特定させるための識別情報が必要となる。本実施の形態では、通信端末装置１１０によってどのような通信をおこなうか、その種類に応じて、通常用の識別情報と、特別用の識別情報との２種類の識別情報のいずれかを設定することができる。
【００２２】
通常用の識別情報は、送信元の通信端末装置１１０Ａが指定した任意の送信先である通信端末装置１１０Ｂと、送信元を明確にした双方向通信をおこなうなどの通常の通信の際に利用され、特別用の識別情報は、通信端末装置１１０Ａが指定した送信先の通信端末装置１１０Ｃの特定のサービスを利用するなどの特別な通信の際に利用される。
【００２３】
さらに詳しく説明すると、通常用の識別情報は、特別な通信先を除いた通常の通信時に用いる識別情報である。通常用の識別情報は、たとえば、メールアドレスのように、通信管理装置１２０や送信先の通信端末装置１１０に対して、送信元を識別させる目的や、通信を確立させる目的で送信する情報である。また、通常用の識別情報は、各送信元の通信端末装置１１０が通信をおこなう際に最も利用頻度の高い識別情報であったり、通信用の識別情報に利用される機会が最も多い識別情報であったりしてもよい。また、通常時に他の通信端末装置１１０からの通信を受信するための識別情報としてもよい。
【００２４】
一方、特別用の識別情報は、特定の送信先との通信をおこなう際に利用する専用の識別情報である。特別用の識別情報は、具体的には、特別なサービスを受ける時など、通常用の識別情報を利用することによって身元が送信先に知られるのを避けたい場合、または、同一の送信先に対して通常用の識別情報を使い続けて送信元の行動を特定されることを避けたい場合などに利用される。したがって、特別用の識別情報は、通信端末装置１１０に通常用の識別情報が設定されている状態から、通信先の変更や、所定の事象の発生（所定時間経過など）に応じて、適宜通信用の識別情報から切り替えられて利用される。
【００２５】
特別用の識別情報をメールアドレスの例で説明すると、特別用の識別情報は、特定の送信先に応じて設定された通常用のメールアドレスとは異なるメールアドレス（特別用のメールアドレス）である。この特別用のメールアドレスは、各通信端末装置１１０に元々設定されているメールアドレスでもよいし、各通信端末装置１１０において適宜作成したメールアドレスでもよいし、通信管理装置１２０や、送信先の通信端末装置１１０などから適宜取得したメールアドレスであってもよい。
【００２６】
もちろん、特別用の識別情報は、送信先に応じてくりかえし利用してもかまわない。したがって、特別用の識別情報を特定の送信先との通信に利用したり、特別なサービスを受ける場合に利用したりする場合などには上述のような運用となる。またこれらの特別用の識別情報は、目的の通信が終了したら破棄してしまってもよいし、同一の送信先に対して定期的または所定の事象（たとえば、通信端末装置１１０を搭載した車両のエンジンのオン／オフ）ごとに識別情報を変更させるような運用であってもよい。特に、送信元の通信端末装置１１０の身元（たとえば、通信端末装置１１０の利用者）の特定や行動の特定を避けたい場合に利用する匿名用の識別情報は、上述のように、利用終了ごとに破棄するような運用となる。
【００２７】
以上説明したように、本実施の形態にかかる通信端末装置１１０および通信管理装置１２０は、通常用の識別情報と特別用の識別情報とのいずれかを通信用の識別情報に設定して送信先の通信端末装置１１０との通信を実現させることができる。また、通信端末装置１１０は、通信先や、通信内容に応じて適宜通信用の識別情報を切り替える。さらに、通信管理装置１２０には、通信用の識別情報の切り替えに関する情報が報知情報として通信端末装置１１０から報知される。
【００２８】
したがって、通信端末装置１１０の利用者は、通常用の識別情報を利用することによって通常の通信を実現するとともに、同じ通信端末装置１１０を利用して通常の通信とは異なる特別用の識別情報を利用した特別用の通信を実現することができる。また、特別用の通信を利用することによって、利用者の挙動が特定されない匿名性のある通信を実現することもできる。また、通信端末装置１１０は、現在通信用の識別情報に設定されていない識別情報についても、保留状態もしくは受信用に設定することができる。
【００２９】
そして、通信端末装置１１０における識別情報の保留状態もしくは受信用への設定は、その都度通信管理装置１２０に報知される。したがって、通信端末装置１１０における通信用の識別情報が頻繁に切り替えられても、通信管理装置１２０は、保留状態もしくは受信用に設定された識別情報に宛てて送信された情報を受信することができる。このように、保留状態もしくは受信用に設定された識別情報に宛てて送信され通信管理装置１２０によって受信された情報は、通信管理装置１２０に一時的に保管され、通信端末装置１１０からの問い合わせや指示に応じて送信先の各通信端末装置１１０に送信される。
【００３０】
また、通信端末装置１１０における識別情報の保留状態もしくは受信用への設定がされる度に、当該通信端末装置１１０が通信管理装置１２０に報知する代わりに、通信管理装置１２０が、通信端末装置１１０からの通信用の識別情報の切り替えに関する情報の報知に基づいて、「通信端末装置１１０にて使用する識別情報」の保留状態もしくは受信用への設定をおこなってもよい。
【００３１】
この「通信端末装置１１０にて使用する識別情報」とは通信端末装置１１０から通信管理装置１２０に登録された識別情報でもよいし、通信端末装置１１０において使用されたことのある識別情報の履歴を通信管理装置１２０に保持しておき、この保持された識別情報を利用してもよい。このような処理をおこなうことにより、通信端末装置１１０における識別情報の保留状態もしくは受信用への設定がされる度に、通信管理装置１２０は、保留状態もしくは受信用に設定した通信端末装置１１０にて使用する識別情報に宛てて送信された情報を受信することができる。
【００３２】
また、保留状態もしくは受信用に設定された識別情報に宛てて送信され通信管理装置１２０によって受信された情報は、通信管理装置１２０に一時的に保管される。そして、保留状態もしくは受信用に設定された識別情報が送信先における通信端末装置１１０からの通信用の識別情報に設定されたときに、上述のように保管された情報を通信端末装置１１０に送信すればよい。
【００３３】
また、通信管理装置１２０は、通信端末装置１１０から送信された情報を一時的に保管している場合に、送信先となる通信端末装置１１０で選択されている識別情報が通信端末装置１１０によって識別できる識別情報であれば、当該識別情報を宛先として保管中の情報を送信してもよい。
【００３４】
他の手法としては、通信管理装置１２０に情報が保管された旨と、その送信の宛先として設定された識別情報を、一旦送信先の通信端末装置１１０に報知し、その後、当該通信端末装置１１０からの指示に応じて保管された情報の送信処理をおこなってもよい。また、単純に通信端末装置１１０からの問い合わせ指示に応じて、保管された情報を送信先に指定されている各通信端末装置１１０に送信してもよい。
【００３５】
つぎに、上述したような通信システムを実現するための通信端末装置１１０および通信管理装置１２０それぞれの機能的構成、処理内容について順に説明する。
【００３６】
（通信端末装置の機能的構成）
まず、本実施の形態にかかる通信端末装置の機能的構成について説明する。図１のように、本実施の形態にかかる通信端末装置１１０は、設定部１１１と、報知部１１２と、選択部１１３と、通信部１１４と、受付部１１５とを含んで構成される。
【００３７】
設定部１１１は、装置ごとにユニークに設定されている通常用の識別情報と、通常用の識別情報以外の特別用の識別情報とのいずれかを、通信用の識別情報に設定する。ここで、特に通信端末装置１１０の挙動を特定されたくない場合には、特別用の識別情報として、通信端末装置１１０を特定させる情報を含まない匿名用の識別情報を利用してもよい。なお、設定部１１１は、通常用の識別情報以外の複数の識別情報の中から特別用の識別情報を選択し、通信用の識別情報に設定してもよい。
【００３８】
報知部１１２は、設定部１１１において、いずれかの通信用の識別情報が設定されると、この設定をあらわす報知情報を通信管理装置１２０に送信する。報知情報は、通信端末装置１１０が利用している識別情報の状況を通信管理装置１２０に報知する役割を担う。また、報知情報は、通信端末装置１１０において識別情報の設定の切り替えがあった場合、たとえば、識別情報の変更、保留、さらに保留からの復帰、設定解除などを逐一報知する。
【００３９】
選択部１１３は、利用者や上位プログラムなどから送信先の通信端末装置１１０の選択を受け付ける。図１に示した例では、通信端末装置１１０Ａの場合、送信先として通信端末装置１１０Ｂか通信端末装置１１０Ｃかのいずれか一方の選択を受け付ける。なお、本実施の形態では、識別情報を設定後、送信先の選択を受け付けているが、送信先と利用する識別情報とを紐付けておいてもよい。たとえば、通信端末装置１１０Ｂが送信先に選択された場合には、自動的に通常用の識別情報が設定され、通信端末装置１１０Ｃが送信先に選択された場合には、自動的に特別用の識別情報が設定されるようにしてもよい。この場合、利用者や上位プログラムによる識別情報の設定処理が不要になる。
【００４０】
通信部１１４は、設定部１１１により設定された通信用の識別情報を利用して選択部１１３により受け付けた送信先との通信をおこなう。ここで、通信とは、実際に送信先の通信端末装置１１０とデータの送受信をおこなう以外にも、データの送受信をおこなうまでの待機状態も含まれる。
【００４１】
上述したように報知部１１２は、利用者や上位プログラムによる識別情報の設定内容の変更を通信管理装置１２０に報知するために報知情報を送信する。特に、通信用の識別情報を切り替える際には、切り替え前に通信用の識別情報に設定されていた識別情報に宛てて送信された情報が破棄されてしまわないように、切り替え前に通信用の識別情報に設定された識別情報が保留中もしくは受信用の識別情報として設定されたことを報知する処理が必要となる。以下、識別情報の設定内容の変更に応じた報知処理の具体例について説明する。
【００４２】
設定部１１１は、通常用の識別情報が通信用の識別情報として設定された後に、通信用の識別情報の切り替え指示を受け付けると、この切り替え指示に応じて、設定中の通信用の識別情報を、あらたな通信用の識別情報に設定するとともに、切り替えられた通常用の識別情報を保留状態に設定する。そして、報知部１１２は、設定部１１１があらたな通信用の識別情報を設定し、それまで通信用の識別情報に設定されていた通常用の識別情報を保留状態にすると、当該設定の切り替えおよび保留をあらわす報知情報を通信管理装置１２０に送信する。
【００４３】
また、上述のように、一旦保留状態になった識別情報に対して再度通信用の識別情報に設定することもできる。この場合、設定部１１１は、保留状態にした識別情報を通信用の識別情報に復帰させる復帰指示を受け付けると、この復帰指示に応じて、通常用の識別情報を通信用の識別情報に設定する。また、報知部１１２は、設定部１１１によって保留状態の識別情報が通信用の識別情報に復帰されると、この復帰をあらわす報知情報を、通信管理装置１２０に送信する。
【００４４】
また、設定部１１１は、特別用の識別情報が通信用の識別情報として設定された後、通信用の識別情報の変更指示を受け付けると、この変更指示に応じて、あらたな通信用の識別情報に設定するとともに、変更前の特別用の識別情報を通信用の識別情報の設定から解除する。そして、報知部１１２は、設定部１１１が、あらたな通信用の識別情報を設定し、それまで通信用の識別情報に設定されていた特別用の識別情報を、通信用の識別情報の設定から解除すると、この変更、解除をあらわす報知情報を通信管理装置１２０に送信する。
【００４５】
このとき、それまで通信用の識別情報に設定されていた特別用の識別情報を保留状態に設定してもよい。このような設定の場合、報知部１１２は、設定部１１１があらたな通信用の識別情報を設定し、それまで通信用の識別情報に設定されていた特別用の識別情報を保留状態に設定すると、当該設定の切り替えおよび保留をあらわす報知情報を通信管理装置１２０に送信する。
【００４６】
なお、設定部１１１は、通常用の識別情報以外の複数の識別情報の中から選択された識別情報を、あらたに受信用の識別情報に設定してもよい。受信用の識別情報とは、通信用の識別情報と異なり、受信専用に機能する識別情報である。たとえば、受信用の識別情報に設定されていれば、この識別情報を利用して送信をおこなうことはないが、通信用の識別情報に設定されていなくても、他の通信端末装置１１０からこの受信用の識別情報に宛てて送信された情報を受信することができる。
【００４７】
また、設定部１１１は、通常用の識別情報を、上述した受信用の識別情報に設定してもよい。この場合、通信部１１４は、受信用の識別情報に設定された通常用の識別情報に宛てて送信された情報を受信する。さらに、設定部１１１は、特別用の識別情報を受信用の識別情報に設定してもよい。この場合、通信部１１４は、受信用の識別情報に設定された特別用の識別情報に宛てて送信された情報を受信する。
【００４８】
また、設定部１１１は、受信用の識別情報に設定された特別用の識別情報が、通信用の識別情報として設定された後、通信用の識別情報の変更指示を受け付けると、この変更指示に応じて、あらたに通信用の識別情報に設定するとともに、変更前の特別用の識別情報を通信用の識別情報の設定から解除して保留状態とする。そして、報知部１１２は、設定部１１１が、あらたな通信用の識別情報を設定し、特別用の識別情報を保留状態にすると、この設定変更、保留をあらわす報知情報を通信管理装置１２０に送信する。
【００４９】
また、受付部１１５は、通信管理装置１２０もしくは送信先の通信端末装置１１０（たとえば特別用の識別情報を利用して通信をおこなう通信端末装置１１０Ｃなど）から特別用の識別情報を受け付ける。上述したように、設定部１１１において、あらかじめ用意された特別用の識別情報を用いてもよいが、これに限ることなく、受付部１１５により受け付けた特別用の識別情報を利用してもよい。
【００５０】
通信端末装置１１０は、以上説明したような構成により、同一の端末によって通常用と特別用の識別情報を使い分けることができる。具体的には、たとえば、車両に搭載された通信端末装置１１０Ａが、送信先として選択した通信端末装置１１０Ｃと通信をおこなう場合について説明する。ここで、通信端末装置１１０Ｃは、サービス事業者としての機能を備えた通信端末装置とする。
【００５１】
通信端末装置１１０Ａは、特別用の識別情報を利用して、搭載されている車両に関する情報を通信端末装置１１０Ｃに送信する。そして、通信端末装置１１０Ａは、この送信情報の見返りとして、通信端末装置１１０Ｃから交通情報のサービスを受け付ける。このような場合、通信端末装置１１０Ｃが、通信端末装置１１０Ａから受信した車両に関する情報には、特別用の識別情報が通信用の識別情報として利用されている。したがって、通信端末装置１１０Ｃから通信端末装置１１０Ａに交通情報を返信する際には、車両に関する情報の送信に利用されていた特別用の識別情報を宛先とする。
【００５２】
しかしながら、通信端末装置１１０Ａは、利用者の利用状況などに応じて、通信用の識別情報の設定が頻繁に切り替わることがある。すなわち、通信端末装置１１０Ｃが、特別用の識別情報を利用して交通情報を返信しても、通信端末装置１１０Ａの通信用の識別情報は、すでに、他の識別情報に切り替えられてしまっている可能性が高い。そこで、上述したような特別用の識別情報など、所定の識別情報を受信用の識別情報に設定しておけば、通信用の識別情報を変更してしまった場合であっても、確実に返信された情報を受信することができる。
【００５３】
なお、通信端末装置１１０Ａは、通信端末装置１１０Ｃから交通情報が返信された場合に、交通情報の宛先として利用された特別用の識別情報を利用して、再度、通信端末装置１１０Ｃに車両に関する情報を送信する利用形態も想定される。したがって、通信端末装置１１０Ａは、受信用の識別情報に設定されていた特別用の識別情報に宛てられた返信情報を受信した場合には、この特別用の識別情報を自動的に、通信用の識別情報に設定してもよい。そして、通信用の識別情報に設定し、所定の通信を終えた後は、再度、通信用の識別情報を、他の特別用の識別情報や通常用の識別情報に切り替えるように設定してもよい。
【００５４】
また、通信端末装置１１０Ａが通常用の識別情報を利用して通信端末装置１１０Ｂと通信をおこなっているような場合、通信端末装置１１０Ｂから通信端末装置１１０Ａに返信しても、通信端末装置１１０Ａの通信用の識別情報が特別用の識別情報に設定されている場合もある。したがって、通常用の識別情報は、通信用の識別情報の設定を解除されると、一時的に保留状態に設定される。上述したように、通常用の識別情報が保留状態に設定されると、通信管理装置１２０に、保留状態が報知される。詳しくは後述するが、通信管理装置１２０では、保留状態の報知を受け付けると、通信端末装置１１０Ｂから送信された情報は、通信管理装置１２０において一時的に保管される。そして、通信端末装置１１０Ａにおいて、通常用の識別情報が通信用の識別情報に復帰すると、復帰情報が、通信管理装置１２０に報知され、保管されていた情報を受信することができる。
【００５５】
以上説明したような仕組みを利用することによって、たとえば、特定の通信先と通信するために特別用の識別情報を利用したとしても、通常用の識別情報に宛てられた通信や、他の特別用の識別情報に宛てられた通信を拒絶することなく対応することができる。
【００５６】
（通信管理装置の機能的構成）
つぎに、通信管理装置１２０の機能的構成について説明する。通信管理装置１２０は、通信端末装置１１０同士が、通信をおこなう場合に、宛先として設定されている識別情報を監視して情報を中継する役割を担う。また、通信管理装置１２０は、図１のように、受付部１２１と、設定部１２２と、保管部１２３とを含んで構成されている。
【００５７】
受付部１２１は、通信端末装置１１０から、通信用の識別情報の設定をあらわす報知情報を受け付ける。通信用の識別情報とは、報知情報の送信元である通信端末装置１１０が通信をおこなう際に利用する識別情報である。受付部１２１は、上述した通信用の識別情報以外にも、他の設定をあらわす報知情報を受信する場合もある。具体的には、通信用の識別情報変更、保留状態、解除などをあらわす報知情報がある。
【００５８】
設定部１２２は、受付部１２１が報知情報を受け付けると、この報知情報によって報知された通信用の識別情報を、通信端末装置１１０の通信状態を管理するための監視対象の識別情報に設定する。
【００５９】
また、設定部１２２は、受付部１２１が通信端末装置１１０から上述した通信用の識別情報の変更をあらわす報知情報を受け付けると、この報知情報に応じて、通信端末装置１１０の通信状態を管理するための監視対象の識別情報をあらたな識別情報に変更する。
【００６０】
また、設定部１２２は、受付部１２１が通信端末装置１１０から上述した通信用の識別情報の変更をあらわす報知情報を受け付けると、この報知情報を受け付けた時点において通信用の識別情報に設定されている識別情報を保留状態に設定する。このとき、保留状態の識別情報に宛てて送信された情報は、後述する保管部１２３によって保管すればよい。
【００６１】
また、設定部１２２は、受付部１２１が、通信端末装置１１０から通信用の識別情報の保留状態への設定をあらわす報知情報を受け付けると、該当する識別情報を、通信状態を管理するための監視対象から解除し、あらたに保留状態として管理するように設定する。このとき、保留状態の識別情報に宛てて送信された情報は、後述する保管部１２３によって保管すればよい。
【００６２】
保管部１２３は、いずれかの通信端末装置１１０から保留状態の識別情報に宛てた通信がおこなわれると、当該通信の内容を保管する。そして、この保留状態の識別情報に宛てて送信をおこなった通信端末装置１１０に、宛先に指定した識別情報が保留状態であることをあらわす報知情報を送信する。また、保管部１２３は、いずれかの通信端末装置１１０から保留状態の識別情報に宛てた通信がおこなわれると、その通信内容を保管し、さらに、宛先となっている保留状態の識別情報の通信端末装置１１０への通信が可能であれば、当該保留状態の識別情報に宛てて前記通信内容を送信してもよい。通信内容とは、すなわち、送信データである。
【００６３】
また、設定部１２２は、受付部１２１が通信端末装置１１０から、保留状態の識別情報を通信用の識別情報へ復帰させることをあらわす報知情報を受け付けると、保留状態の識別情報を監視対象の識別情報に設定してもよい。さらに、設定部１２２は、受付部１２１が通信端末装置１１０から通信用の識別情報の設定の解除をあらわす報知情報を受け付けると、この報知情報に応じて、通信端末装置１１０の識別情報を、通信状態を管理するための監視対象から解除してもよい。
【００６４】
このように、通信管理装置１２０は、通信端末装置１１０からの報知情報の内容に応じて、監視対象となる異なる識別情報を通信端末装置１１０の通信を管理するための識別情報に設定する。
【００６５】
（通信端末装置の処理の内容）
つぎに、本実施の形態にかかる通信端末装置１１０の処理の内容について説明する。図２−１は、通信端末装置における識別情報設定処理の内容を示すフローチャートである。図２−１のフローチャートにおいて、まず、通信端末装置１１０の設定部１１１は、識別情報の設定を受け付けたか否かを判断する（ステップＳ２１１）。
【００６６】
ステップＳ２１１において、識別情報の設定を受け付けると（ステップＳ２１１：Ｙｅｓ）、つぎに、受け付けた識別情報の設定が特別用の識別情報か否かを判断する（ステップＳ２１２）。ここで、受け付けた識別情報は、各装置にユニークに設定されている通常用の識別情報か、通常用の識別情報以外の特別用の通信に利用する特別用の識別情報かのいずれかである。したがって、ステップＳ２１１によって受け付けたのが特別用の識別情報であった場合には（ステップＳ２１２：Ｙｅｓ）、特別用の識別情報を通信用の識別情報に設定する（ステップＳ２１３）。
【００６７】
また、ステップＳ２１１によって受け付けたのが特別用の識別情報ではなかった場合（ステップＳ２１２：Ｎｏ）、受け付けた識別情報は、すなわち、通常用の識別情報となる。したがって、通常用の識別情報を通信用の識別情報に設定する（ステップＳ２１４）。また、ステップＳ２１１において、識別情報の設定を受け付けなかった場合には（ステップＳ２１１：Ｎｏ）、通常用の識別情報を利用すると判断し、通常用の識別情報を通信用の識別情報に設定する（ステップＳ２１４）。
【００６８】
ステップＳ２１３もしくはＳ２１４において通信用の識別情報の設定がおこなわれると、つぎに、設定された通信用の識別情報の設定をあらわす報知情報を通信管理装置１２０に送信する（ステップＳ２１５）。その後、選択部１１３によって、送信先の選択を受け付けたか否か判断する（ステップＳ２１６）。ここで、送信先の選択を受け付けるまで待ち（ステップＳ２１６：Ｎｏのループ）、選択を受け付けると（ステップＳ２１６：Ｙｅｓ）、設定された通信用の識別情報を利用して、通信部１１４が送信先の通信端末装置との通信を開始させ（ステップＳ２１７）、通信端末装置１１０による一連の通信開始処理を終了する。なお、上述したように、設定した識別情報による通信の開始とは、通信相手とのデータの送受信処理と、受信待機との双方の動作を含む。
【００６９】
上述したように、通信端末装置１１０は、任意に設定した通信用の識別情報を利用して通信を開始させることができる。さらに、通信端末装置１１０は、一旦設定した識別情報を任意に切り替えることができる。そこで、つぎに通信端末装置１１０における、通信用の識別情報の切り替え処理について説明する。
【００７０】
図２−２は、通信端末装置の識別情報の切り替え処理の内容を示すフローチャートである。図２−２のフローチャートにおいて、まず、設定部１１１において通信用の識別情報の切り替え指示を受け付けたか否かを判断する（ステップＳ２２１）。ここで、通信用の識別情報の切り替え指示を受け付けるまで待ち（ステップＳ２２１：Ｎｏのループ）、切り替え指示を受け付けると（ステップＳ２２１：Ｙｅｓ）、現在、通信用の識別情報に設定されている識別情報が通常用の識別情報か否かを判断する（ステップＳ２２２）。
【００７１】
なお、通信端末装置１１０は、通信用の識別情報の切り替え指示を受け付けるまでの待機状態ステップＳ２２１において、識別情報の設定変更を受け付けるまでの待機中であっても、図２−１の処理によって設定された通信用の識別情報を利用して選択された送信先との通信が適宜おこなわれている。
【００７２】
ステップＳ２２２において、設定中の識別情報が通常用の識別情報であった場合（ステップＳ２２２：Ｙｅｓ）、設定中の識別情報を保留状態に設定するとともに、保留状態をあらわす報知情報を通信管理装置１２０に送信して報知する（ステップＳ２２３）。そして、あらたな識別情報を通信用の識別情報に設定するとともに、この識別情報の切り替えをあらわす報知情報を通信管理装置１２０に送信して報知する（ステップＳ２２４）。
【００７３】
通信管理装置１２０への報知が終わると、あらたに設定した識別情報を利用した通信を開始する（ステップＳ２２５）。なお、通信の開始とは、図２−１のステップＳ２１７と同様に、送信先とのデータの送受信処理と、受信待機との双方の動作を含む。
【００７４】
その後、通常用の識別情報の復帰指示を受け付けたか否かを判断する（ステップＳ２２６）。ここでも通常用の識別情報の復帰指示を受け付けるまで待ち（ステップＳ２２６：Ｎｏのループ）、復帰指示を受け付けると（ステップＳ２２６：Ｙｅｓ）、保留状態になっていた通常用の識別情報を通信用の識別情報に設定するとともに、通常用の識別情報の設定をあらわす報知情報を通信管理装置１２０に送信して報知する（ステップＳ２２７）。そして、ステップＳ２２７において設定した識別情報を利用して通信を開始する（ステップＳ２２８）。通信開始後は、ステップＳ２２１の処理に戻り、識別情報の切り替え指示を受け付けるまで待機状態となる（ステップＳ２２１：Ｎｏのループ）。
【００７５】
また、ステップＳ２２２において、通信端末装置１１０に設定中の識別情報が通常用の識別情報ではない場合（ステップＳ２２２：Ｎｏ）、設定中の識別情報は、特別用の識別情報であると判断される。したがって、現在、通信用の識別情報に設定されている識別情報の設定を解除するとともに、この識別情報の設定の解除をあらわす報知情報を通信管理装置１２０に送信して報知する（ステップＳ２２９）。
【００７６】
そして、あらたな識別情報を通信用の識別情報に設定するとともに、この識別情報への切り替えをあらわす報知情報を通信管理装置１２０に送信して報知する（ステップＳ２３０）。通信用の識別情報があらたに設定されると、この通信用の識別情報を利用した通信を開始する（ステップＳ２２８）。通信開始後は、ステップＳ２２１の処理に戻り、識別情報の切り替え指示を受け付けるまで待機状態となる（ステップＳ２２１：Ｎｏのループ）。
【００７７】
このように通信端末装置１１０は、設定部１１１によって識別情報の切り替え指示を適宜受け付けるとともに、識別情報の切り替えの内容に応じて、切り替え前の識別情報を保留状態もしくは利用終了に設定することができる。また、報知部１１２によって通信用の識別情報の切り替えの内容を通信管理装置１２０に報知することができる。
【００７８】
（通信管理装置の処理の内容）
つぎに、本実施の形態にかかる通信管理装置１２０の処理の内容について説明する。図３は、本実施の形態にかかる通信管理装置の処理の内容を示すフローチャートである。図３のフローチャートにおいて、まず、受付部１２１が、通信端末装置１１０（たとえば、通信端末装置１１０Ａ）からの識別情報設定の報知情報を受け付けたか否かを判断する（ステップＳ３０１）。ここで、識別情報設定の報知情報を受け付けるまで待ち（ステップＳ３０１：Ｎｏのループ）、報知情報を受け付けると（ステップＳ３０１：Ｙｅｓ）、設定部１２２において報知された識別情報を監視対象に設定する（ステップＳ３０２）。
【００７９】
その後、受付部１２１が、通信端末装置１１０Ａからの識別情報変更・保留の通知情報を受け付けたか否かを判断する（ステップＳ３０３）。ここで、識別情報変更・保留の通知情報を受け付けると（ステップＳ３０３：Ｙｅｓ）、現在、監視対象に設定中の識別情報、すなわち、ステップＳ３０２において設定した識別情報の監視を保留状態とする。さらに、報知された識別情報をあらたに監視対象に設定する（ステップＳ３０４）。また、ステップＳ３０３において所定時間経過しても識別情報変更・保留の通知情報を受け付けなかった場合は（ステップＳ３０３：Ｎｏ）、ステップＳ３０７の処理に移行する。
【００８０】
ステップＳ３０４によって識別情報が保留された後は続いて受付部１２１が、識別情報復帰の報知情報を受け付けたか否かを判断する（ステップＳ３０５）。ここで、識別情報復帰の報知情報を受け付けると（ステップＳ３０５：Ｙｅｓ）、ステップＳ３０４において保留状態となった識別情報を監視対象に復帰させる（ステップＳ３０６）。一方、所定時間経過しても識別情報復帰の通知情報を受け付けなかった場合は（ステップＳ３０５：Ｎｏ）、ステップＳ３０７の処理に移行する。
【００８１】
一方、ステップＳ３０３において識別情報変更・保留の報知情報を受け付けなかった場合（ステップＳ３０３：Ｎｏ）、ステップＳ３０５において識別情報復帰の報知情報を受け付けなかった場合（ステップＳ３０５：Ｎｏ）、もしくは、ステップＳ３０６において保留状態の識別情報を監視対象に復帰させた場合には（ステップＳ３０６）、続いて、通信端末装置１１０Ａから識別情報変更・解除の報知情報を受け付けたか否かを判断する（ステップＳ３０７）。
【００８２】
ステップＳ３０７において、識別情報変更・解除の報知情報を受け付けると（ステップＳ３０７：Ｙｅｓ）、設定中の識別情報を監視対象から解除し、報知された識別情報を監視対象に設定する（ステップＳ３０８）。ステップＳ３０８の設定が終了すると、ステップＳ３０３の処理に戻り、あらたに識別情報変更・保留の報知情報を受け付けたかを判断し、判断結果に応じた処理を繰り返す。一方、ステップＳ３０７において、識別情報変更・終了の報知情報を受け付けなかった場合（ステップＳ３０７：Ｎｏ）、そのままステップＳ３０３の処理に戻り、報知情報の受け付けに応じた処理を繰り返す。
【００８３】
このように、通信管理装置１２０は、通信端末装置１１０から送信される報知情報に応じて、通信端末装置１１０の通信管理のために監視対象となる識別情報を切り替える。したがって、通信端末装置１１０において設定される通信用の識別情報が頻繁に切り替わっても、現在利用されている識別情報によって通信を管理することができる。
【００８４】
また、上述したステップＳ３０４において保留状態になった識別情報に対しては、ステップＳ３０６によって復帰されるまでの間に、保留状態の識別情報に宛てられた送信データを保管する、または、保留状態の識別情報に宛てて送信をおこなった通信端末装置１１０に保留状態を報知するなど、対応処置を設定することができる。
【００８５】
以上説明したように、本実施の形態によれば、通信端末装置１１０が通信相手となる通信端末装置１１０ごとに、通常用の識別情報か、特別用の識別情報かのいずれかを利用した通信を実現することができる。
【００８６】
また、通信端末装置１１０が通信先を変更し、通信が中断された場合であっても、通信管理装置１２０は、中断された送信先に応じて、通信を保留するか終了するかのいずれかの設定を使い分けることができる。また、通常用の識別情報として固有の識別情報を利用した場合には、通信内容を保留し、情報の受信漏れを防ぐことができる。
【実施例】
【００８７】
以下にこの発明の実施例について説明する。本実施例では、実施の形態にかかる通信端末装置１１０を携帯電話端末やナビゲーション装置の機能の一部に適用させた場合について説明する。また、実施の形態にかかる通信管理装置１２０は、上記の携帯電話端末やナビゲーション装置が通信をおこなう際に利用する中継センターを構成する中継装置（たとえば、サーバ装置）により、その機能を実現する。
【００８８】
（システム構成）
まず、本実施例のシステム構成について説明する。図４−１、４−２は、本実施例のシステム構成の概要を示す説明図である。図４−１では、通信端末装置１１０を携帯電話端末に搭載した場合の構成例をあらわしている。また、図４−２では、通信端末装置１１０をナビゲーション装置に搭載した場合の構成例をあらわしている。
【００８９】
図４−１の通信システム４００は、携帯電話端末を携帯したユーザ４０１Ａ〜４０１Ｃがそれぞれ中継装置４０２を利用して通信をおこなう。また、通信システム４００において、通信局４０１Ｄのように常に固定位置から利用する通信端末装置を含んでいてもよい。通信システム４００において、各ユーザ４０１Ａ〜４０１Ｃは、他のユーザや通信局４０１Ｄに通信をおこなう際に、通信相手に応じて任意のＩＤを設定することができる。
【００９０】
具体的は、たとえば、ユーザ４０１Ａから他のユーザ４０１Ｂや４０１Ｃに通信をおこなう場合、ユーザ４０１Ａでは、携帯電話端末に設定されている通常のＩＤ（たとえば、各装置にユニークに付与された製造番号など装置を識別させる情報）を利用し、通信局４０１Ｄと通信をおこなう際には、特別用のＩＤ（たとえば、通信局４０１用に設定された識別情報や、ランダムな匿名用ＩＤであるＬＩＤなど）を利用して通信をおこなう。
【００９１】
また、各ユーザ４０１Ａ〜４０１Ｃの携帯電話端末は、通常用、特別用のいずれかのＩＤが設定されると、この設定を中継装置４０２に報知する処理をおこなう。さらに、ユーザ４０１Ａ〜４０１Ｃが携帯電話端末によって通信をおこなう際のＩＤを変更した場合には、どのＩＤの利用を終了もしくは保留し、あらたにどのＩＤを利用するかという変更内容を中継装置４０２に報知する。
【００９２】
中継装置４０２は、ユーザ４０１Ａ〜４０１Ｃから、どのようなＩＤを設定したかの報知を受け付けると、報知されたＩＤを監視対象として、各ユーザ４０１Ａ〜４０１Ｃの通信を管理する。また、上述のように、通信に利用するＩＤが変更になった旨の報知を受け付けると、報知された変更内容に応じて、監視対象とするＩＤを変更する。したがって、中継装置４０２は、ユーザ４０１Ａ〜４０１Ｃの携帯電話端末の利用ＩＤが変更されても、どの携帯端末装置が、どのＩＤを利用しているかを把握し、正確に管理することができる。
【００９３】
一方、図４−２の通信システム４１０は、車両に搭載されたナビゲーション装置を利用してユーザが他の車両やサービス事業者と通信をおこなう。具体的には、車両４１１から送信される通信要求を、ビーコン４１２を経由して通信センター４１３が受信し、この通信センター４１３を経由して送信先に指定された他の車両４１１に搭載されたナビゲーション装置や、サービス事業者（たとえば事業者Ａ〜Ｃ）４１４などとの通信を確立させるシステムである。
【００９４】
たとえば、車両４１１から他のナビゲーション装置やサービス事業者４１４へ通信要求をおこなう際、利用者は、通常通信と、特定のサービスを受けるための特別通信とのいずれかをおこなうかを選択する。ここでは、一例として、他の車両４１１と通信をおこなう場合には通常通信、サービス事業者４１４と通信をおこなう場合には特別通信をおこなうこととする。図４−１の通信システム４００と同様に、通常通信には、通常のＩＤ、特別通信には、特別用のＩＤを利用する。
【００９５】
（ナビゲーション装置のハードウェア構成）
つぎに、上述した実施例のうち、通信システム４１０におけるナビゲーション装置のハードウェア構成について説明する。図５は、ナビゲーション装置のハードウェア構成を示すブロック図である。このナビゲーション装置５００は、車両に搭載された状態で利用される。
【００９６】
図５のように、ナビゲーション装置５００は、ＣＰＵ５０１と、ＲＯＭ５０２と、ＲＡＭ（メモリ）５０３と、磁気ディスクドライブ５０４と、磁気ディスク５０５と、光ディスクドライブ５０６と、光ディスク５０７と、音声Ｉ／Ｆ（インターフェース）５０８と、マイク５０９と、スピーカ５１０と、入力デバイス５１１と、映像Ｉ／Ｆ５１２と、ディスプレイ５１３と、カメラ５１４と、通信Ｉ／Ｆ５１５と、ＧＰＳユニット５１６と、各種センサ５１７と、を含んで構成される。また、各構成部５０１〜５１７は、バス５２０によってそれぞれ接続されている。
【００９７】
ＣＰＵ５０１は、ナビゲーション装置５００の全体の制御を司る。ＲＯＭ５０２は、ブートプログラム、ナビゲーションプログラム、通信プログラムなどのプログラムを記録している。ＲＡＭ５０３は、ＣＰＵ５０１のワークエリアとして使用される。
【００９８】
磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。磁気ディスク５０５としては、たとえば、ＨＤ（ハードディスク）やＦＤ（フレキシブルディスク）を用いることができる。
【００９９】
光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータが読み出される着脱自在な記録媒体である。光ディスク５０７は、書き込み可能な記録媒体を利用することもできる。また、この着脱可能な記録媒体として、光ディスク５０７のほか、ＭＯ、メモリカードなどであってもよい。
【０１００】
また、本実施例の場合、磁気ディスク５０５や光ディスク５０７などの記録手段の中のいずれかの記録領域に情報生成プログラムにより生成された走行情報が蓄積される。さらに、磁気ディスク５０５や光ディスク５０７に記録される情報の他の一例として、経路探索・経路誘導などに用いる地図データが挙げられる。地図データは、建物、河川、地表面などの地物（フィーチャ）をあらわす背景データと、道路の形状をあらわす道路形状データとを有しており、ディスプレイ５１３の表示画面において２次元または３次元に描画される。ナビゲーション装置５００が経路誘導中の場合は、地図データとＣＰＵ５０１によって取得された車両の現在地点とが重ねて表示されることとなる。
【０１０１】
音声Ｉ／Ｆ５０８は、音声入力用のマイク５０９および音声出力用のスピーカ５１０に接続される。マイク５０９に受音された音声は、音声Ｉ／Ｆ５０８内でＡ／Ｄ変換される。また、スピーカ５１０からは音声が出力される。なお、マイク５０９から入力された音声は、音声データとして磁気ディスク５０５または光ディスク５０７に記録可能である。
【０１０２】
入力デバイス５１１は、文字、数値、各種指示などの入力のための複数のキーを備えたリモコン、キーボード、マウス、タッチパネルなどが挙げられる。さらに、入力デバイス５１１は、デジタルカメラや携帯電話端末などの他の情報処理端末を接続し、データの入出力をおこなうことができる。
【０１０３】
映像Ｉ／Ｆ５１２は、映像出力用のディスプレイ５１３および映像入力用のカメラ５１４と接続される。映像Ｉ／Ｆ５１２は、具体的には、たとえば、ディスプレイ５１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ５１３を表示制御する制御ＩＣなどによって構成される。
【０１０４】
ディスプレイ５１３には、アイコン、カーソル、メニュー、ウインドウ、あるいは文字や画像などの各種データが表示される。このディスプレイ５１３は、たとえば、ＣＲＴ、ＴＦＴ液晶ディスプレイ、プラズマディスプレイなどを採用することができる。カメラ５１４は、車両内外の映像を撮像し、画像データとして出力する。カメラ５１４で撮像された画像は、画像データとして磁気ディスク５０５あるいは光ディスク５０７に記録可能である。
【０１０５】
通信Ｉ／Ｆ５１５は、ビーコン４１２（図４−２参照）と無線通信をおこない、このビーコン４１２を介して通信センター４０３に情報を送信する。また、通信Ｉ／Ｆ５１５は、ビーコン４１２に限らず様々な通信網へ接続し情報の送受信をおこなう。
【０１０６】
通信Ｉ／Ｆ５１５が接続する通信網としては、ＬＡＮ、ＷＡＮ、公衆回線網や携帯電話網などがある。具体的には、通信Ｉ／Ｆ５１５は、たとえば、ＦＭチューナー、ＶＩＣＳ／ビーコンレシーバ、無線ナビゲーション装置、およびその他のナビゲーション装置によって構成され、ビーコン４１２から配信される渋滞や交通規制などの道路交通情報を取得する。道路交通情報としては、たとえば、ＶＩＣＳ情報を受信する。このＶＩＣＳ情報は、道路交通情報通信システム（ＶＩＣＳ）により、渋滞、事故、規制などの道路交通情報が提供される。そして、取得されたＶＩＣＳ情報は、ナビゲーション装置５００上で、リアルタイムに表示される。なお、ＶＩＣＳは登録商標である。
【０１０７】
ＧＰＳユニット５１６は、ＧＰＳ衛星からの電波を受信し、ナビゲーション装置５００を搭載した車両４１１（図４−２参照）の位置に関する情報を出力する。ＧＰＳユニット５１６の出力情報は、後述する各種センサ５１７の出力値とともに、ＣＰＵ５０１による車両４１１の現在地点の算出に際して利用される。現在地点を示す情報は、たとえば緯度・経度、高度などの、地図データ上の１点を特定する情報である。
【０１０８】
各種センサ５１７は、車速センサや角速度センサなどであり、車両の位置や挙動を判断するための情報を出力する。各種センサ５１７の出力値は、ＣＰＵ５０１による車両の現在地点の算出や、速度や方位の変化量の測定に用いられる。
【０１０９】
なお、上述したナビゲーション装置５００のハードウェア構成に対応させると、図１に示した通信端末装置１１０の、設定部１１１は、たとえばＣＰＵ５０１、ＲＯＭ５０２およびＲＡＭ５０３によりその機能を実現する。また、報知部１１２、通信部１１４および受付部１１５は、たとえばＣＰＵ５０１、ＲＯＭ５０２、ＲＡＭ５０３および通信Ｉ／Ｆ５１５によりそれぞれその機能を実現する。選択部１１３は、たとえばＣＰＵ５０１、ＲＯＭ５０２、ＲＡＭ５０３および入力デバイス５１１によりその機能を実現する。
【０１１０】
また、図４−１にて説明した通信システム４００の携帯電話端末の場合には、図５にて説明したナビゲーション装置５００のハードウェア構成から磁気ディスクドライブ５０４、磁気ディスク５０５、光ディスクドライブ５０６および光ディスク５０７を省いた構成（携帯電話端末の種類によってはＧＰＳユニット５１６も含まない場合もある）となる。
【０１１１】
（サーバ装置のバードウェア構成）
つぎに、通信センター４１３に内蔵されたサーバ装置のハードウェア構成について説明する。図６は、通信センター内蔵されたサーバ装置のハードウェア構成を示すブロック図である。図６のように、サーバ装置６００は、ＣＰＵ６０１と、ＲＯＭ６０２と、ＲＡＭ６０３と、磁気ディスクドライブ６０４と、磁気ディスク６０５と、入力デバイス６０６と、通信Ｉ／Ｆ（インターフェース）６０７と、を備えている。また、各構成部６０１〜６０７は、バス６１０によりそれぞれ接続されている。
【０１１２】
ＣＰＵ６０１は、サーバ装置６００の全体の制御を司る。ＲＯＭ６０２は、ブートプログラムの他に、情報収集プログラム、通信プログラムなどのプログラムを記録している。
【０１１３】
ＲＡＭ６０３は、ＣＰＵ６０１のワークエリアとして使用される。磁気ディスクドライブ６０４は、ＣＰＵ６０１の制御にしたがって磁気ディスク６０５に対するデータの読み取り／書き込みを制御する。磁気ディスク６０５は、磁気ディスクドライブ６０４の制御で書き込まれたデータを記録する。
【０１１４】
入力デバイス６０６は、文字、数値、各種指示などの入力のための入力ボタンが備えられている。また、外部接続コネクタを設けて、独立したキーボードを接続して入力させてもよい。なお、入力デバイス６０６は、通信を管理する通信センター４１３に内蔵されたサーバ装置６００という特殊な用途をもった装置に備えられているため、特定の管理人のみが使用できるような特殊な機器であってもよい。
【０１１５】
通信Ｉ／Ｆ（インターフェース）６０７は、無線を介して通信ネットワークに接続され、ナビゲーション装置５００や、他の通信端末装置やサービス事業者４１４と、ＣＰＵ６０１とのインターフェースとして機能する。通信Ｉ／Ｆ６０７を介したナビゲーション装置５００と、他の通信端末装置間や、サービス事業者４０４との通信は、直接おこなってもよいし、所定の基地局を介しておこなってもよい。通信Ｉ／Ｆ６０７は、さらに、無線を介してインターネットなどの通信網に接続され、この通信網とＣＰＵ６０１とのインターフェースとしても機能する。
【０１１６】
なお、上述したサーバ装置６００のハードウェア構成に対応させると、図１に示した通信管理装置１２０の受付部１２１は、たとえばＣＰＵ６０１、ＲＯＭ６０２、ＲＡＭ６０３および通信Ｉ／Ｆ６０７によりその機能を実現する。また、設定部１２２は、たとえばＣＰＵ６０１、ＲＯＭ６０２およびＲＡＭ６０３によりその機能を実現する。保管部１２３は、たとえばＣＰＵ６０１、ＲＯＭ６０２、ＲＡＭ６０３、磁気ディスクドライブ６０４、磁気ディスク６０５および通信Ｉ／Ｆ６０７によりその機能を実現する。また、図４−１にて説明した通信システム４００の中継装置４０２の場合も同様の構成を備えている。
【０１１７】
（ナビゲーション装置の通信保留処理の内容）
つぎに、本実施例のシステムにおいて、ナビゲーション装置５００が特定のサービス事業者４１４との通信を保留する際の処理の内容について説明する。なお、ここでは、通信システム４１０の例を用いて説明するが、通信システム４００にて説明した携帯電話端末を利用した場合も同様の処理を実現することができる。
【０１１８】
図７は、ナビゲーション装置の通信保留処理の内容を示すフローチャートである。図７のフローチャートにおいて、まず、ナビゲーション装置５００は、通信用ＩＤを変更するか否かを判断する（ステップＳ７０１）。ここで、通信用ＩＤの変更指示を受け付けるまで待ち（ステップＳ７０１：Ｎｏのループ）、通信用ＩＤの変更指示を受け付けると（ステップＳ７０１：Ｙｅｓ）、現在ナビゲーション装置５００が利用中の通信用ＩＤは、特別用ＩＤか否かを判断する（ステップＳ７０２）。
【０１１９】
ステップＳ７０２において、利用中の通信ＩＤが特別用ＩＤであった場合は（ステップＳ７０２：Ｙｅｓ）、特別用ＩＤの利用を終了するため、現ＩＤの終了通知を通信センター４１３に送信する（ステップＳ７０３）。一方、利用中の通信ＩＤが特別用ＩＤではなかった場合は（ステップＳ７０２：Ｎｏ）、利用中の通信ＩＤは通常用ＩＤであるため、現ＩＤの保留通知を通信センター４１３に送信する（ステップＳ７０４）。
【０１２０】
その後、新しい通信用ＩＤに設定し、通信を開始する（ステップＳ７０５）。なお、ここで通信の開始とは、実際に指定された送信先との双方向通信をおこなう場合に限らず、通信待機状態も通信の開始に含まれる。
【０１２１】
ナビゲーション装置５００は、新しい通信用ＩＤによる通信が開始された後、保留中のＩＤを復帰させるか否かを判断する（ステップＳ７０６）。この保留中のＩＤの復帰判断は、利用者からの復帰指示が入力されたか否かに基づいておこなう。ここで、保留中のＩＤを復帰させると判断されるまで待ち（ステップＳ７０６：Ｎｏのループ）、復帰させると判断されると（ステップＳ７０６：Ｙｅｓ）、通信センター４０３に現ＩＤの終了通知を送信する（ステップＳ７０７）。また、ステップＳ７０６において、ＩＤの復帰判断がなされるまでの待機状態の間、通信センター４１３のサーバ装置６００は、ステップＳ７０５において設定された新しい通信用ＩＤを監視対象とした通信がおこなわれている。
【０１２２】
ステップＳ７０７の処理が終わると、保留中のＩＤを通信用ＩＤに再設定し、通信センター４１３に保留解除通知を送信する（ステップＳ７０８）。最後に、設定したＩＤを通信用ＩＤに利用して通信を再開させ（ステップＳ７０９）、一連の処理を終了する。
【０１２３】
このように、ナビゲーション装置５００は、通信用ＩＤを適宜変更することができる。また、変更の際に、現在利用している通信用ＩＤ（現ＩＤ）の種類に応じて、現ＩＤを利用した通信を一時的に保留状態に設定することができる。なお、図７のフローチャートでは、通信再開によって処理を終了しているが、ナビゲーション装置５００において、あらたに通信用ＩＤの変更がおこなわれる場合には、再度ステップＳ７０１からの処理が開始される。
【０１２４】
（通信センターに内蔵されたサーバ装置の通信保留処理の内容）
つぎに、ナビゲーション装置５００において、図７のような通信保留処理がおこなわれた場合の通信センター４０３に内蔵されたサーバ装置６００の通信保留処理について説明する。図８は、サーバ装置の通信保留処理の内容を示すフローチャートである。なお、通信システム４００の場合には、中継装置４０２が、以下説明する処理をおこなう。
【０１２５】
これから説明する処理において、通信センター４１３のサーバ装置６００は、ナビゲーション装置５００からの通知に応じて、所定のＩＤを通信用ＩＤ設定されているものとする。図８のフローチャートにおいて、まず、ナビゲーション装置５００からの通信用ＩＤの保留通知を受信したか否かを判断する（ステップＳ８０１）。ここで、保留通知を受信するまで待ち（ステップＳ８０１：Ｎｏのループ）、保留通知を受信すると（ステップＳ８０１：Ｙｅｓ）、現ＩＤを利用した通信を保留設定にする（ステップＳ８０２）。
【０１２６】
ステップＳ８０２の保留設定後、サーバ装置６００は、いずれかのナビゲーション装置５００から保留設定したＩＤ宛ての送信情報を受信したか否かを判断する（ステップＳ８０３）。ここで、保留設定したＩＤ宛ての送信情報を受信した場合（ステップＳ８０３：Ｙｅｓ）、受け付けた送信情報を一時保管し、送信情報の送信元へ宛先のＩＤの保留設定情報を返信する（ステップＳ８０４）。一方、ステップＳ８０３において、保留設定したＩＤ宛ての送信情報を受信しなかった場合は（ステップＳ８０３：Ｎｏ）、そのままステップＳ８０５の処理に移行する。
【０１２７】
その後、保留通知の送信元のナビゲーション装置５００から保留解除通知を受信したか否かを判断する（ステップＳ８０５）。ここで、保留解除通知を受信するまで待ち（ステップＳ８０５：Ｎｏのループ）、保留解除通知を受信すると（ステップＳ８０５：Ｙｅｓ）、保留設定を解除し、保留設定されていたＩＤを利用した通信を再開する（ステップＳ８０６）。
【０１２８】
ステップＳ８０６によって保留設定されていたＩＤによる通信が再開されると、続いて、保留中に一時保管した送信情報があるか否かを判断する（ステップＳ８０７）。ここで、一時保管した送信情報がある場合には（ステップＳ８０７：Ｙｅｓ）、ステップＳ８０４において保管した送信情報をナビゲーション装置５００に送信し（ステップＳ８０８）、一連の処理を終了する。一方、ステップＳ８０６において、送信情報が保管されていない場合には（ステップＳ８０６：Ｎｏ）、そのまま一連の処理を終了する。
【０１２９】
なお、図８のフローチャートでは、図７の処理に対応して、一旦保留状態になったＩＤが通信用ＩＤに再設定されることによって一連の処理を終了するが、ナビゲーション装置５００から通信用ＩＤの変更に関する通知が送信されると、再度ステップＳ８０１の処理を開始する。
【０１３０】
また、図８のフローチャートでは、保留設定したＩＤ宛ての送信情報を受信した場合、受け付けた送信情報を一時保管するとしたが、現在選択されているＩＤが端末を特定するものであれば、送信情報を端末に送信するように設定してもよい。このような処理をおこなう場合、ナビゲーション装置５００には、あらたに保留状態になったＩＤへの送信情報を受信できるような機能を追加する。
【０１３１】
つぎに、通信システム４１０の車両４１１Ａにおける具体的なＩＤの切り替え動作について説明する。図９は、ＩＤの切り替え動作の一例を示す説明図である。図９には、車両４１１にユーザが乗車し、エンジンをスタートさせ、任意の走行をおこなった後、エンジンをオフするまでをあらわしている。
【０１３２】
図９において、車両４１１Ａがエンジンオン（Ａ）状態になると、通信センター４１３に特別通信をおこなうため、特別用ＩＤ：ＩＤＸ１がランダムに設定される。その後、車両４１１Ａが所定距離Ｘ走行すると、あらたに特別用ＩＤ：ＩＤＸ２がランダムに設定される（Ｂ）。通常、匿名性を守る目的で車両４１１が特別用ＩＤを利用する場合には、車両４１１に所定の事象が発生すると、自動的に特別用ＩＤが切り替わるように設定されている。図９の場合は、上述のように所定の事象として、所定距離走行した場合に、特別用ＩＤが変更されるように設定されている。さらに、図９の場合、ＩＤの切り替えのトリガとなる所定距離も、一定ではなく、毎回変更されるようになっている。
【０１３３】
ここで、所定距離Ｘ走行によって特別用ＩＤ：ＩＤＸ２に設定されている車両４１１が、通常用のＩＤを利用して他の車両４１１Ｂと通信を開始させるとする。このような場合、車両４１１Ａは、通信用ＩＤを通常用ＩＤ：ＩＤＡに設定し、通常通信を開始する（Ｃ）。また、このとき、通信相手のＩＤとして、車両４１１Ｂの通常用ＩＤ：ＩＤＢを指定する。
【０１３４】
車両４１１Ｂとの通信が終了すると、車両４１１ＡのＩＤでは、また所定距離Ｘ＋α走行したことがトリガとなり特別用ＩＤ：ＩＤＸ３がランダムに設定される（Ｄ）。通信センター４１３では、通常用ＩＤから特別用ＩＤに切り替わった場合に、車両４１１Ａから通常用ＩＤの保留通知が送信される（図７のフローチャート参照）。したがって、通信センター４１３は、車両４１１Ｂから車両４１１Ａの通常用ＩＤ：ＩＤＡに宛てて送信された情報を受け付けた場合に、車両４１１ＡのＩＤが通常用ＩＤ：ＩＤＡに復帰されるまで送信情報を保管する（図８のフローチャート参照）。
【０１３５】
その後、車両４１１Ａが車両４１１Ｂとの通信を再開したい場合には、再度通常用ＩＤ：ＩＤＡに設定し、通常通信を再開する（Ｅ）。このとき、通信センター４１３に保管中のＩＤＡ宛の送信情報があった場合には、この送信情報を受信することができる。そして、エンジンオフとともに、特別用ＩＤは、リセットされる（Ｆ）。このとき、車両４１１Ａから通信センター４１３には、現ＩＤの終了通知を送信する。
【０１３６】
以上説明したように、同一の車両４１１Ａの通信用ＩＤは、頻繁に切り替えられる。そこで、本実施例は、車両間のナビゲーション装置５００が通信用ＩＤを変更すると、変更内容に応じて、通信用ＩＤを保留状態に設定、もしくは利用終了させる処理がおこなわれる。また、ナビゲーション装置５００における通信用ＩＤの変更および変更内容は、逐一通信センター４０３のサーバ装置６００に通知される。したがって、識別情報が変更されたことによってナビゲーション装置５００の変更前の識別情報に対する情報の受信ができないような事態を防ぐことができる。
【０１３７】
さらに、通信用ＩＤとして、ランダムな特別用ＩＤを利用すれば、通信を成立させるとともに利用者が特定されるような事態を防ぐこともできる。また、通常用ＩＤを通信ＩＤに利用した後、通常用ＩＤを一時的に変更する場合には、保留状態になった通常用ＩＤ宛ての送信情報を個別に管理するため、通信漏れが起こらないように保留状態を管理することができる。
【０１３８】
また、上述した実施例において、通信用ＩＤとして特別用ＩＤを利用する場合、ナビゲーション装置５００によって用意された特別用ＩＤや、ナビゲーション装置５００によって生成された特別用ＩＤを利用するが、他の実施例として外部からＩＤを取得してもよい。
【０１３９】
具体的には、通信センター４１３や、送信先のサービス事業者４１４から提供された特別用ＩＤを受け付ける手法がある。この場合、ナビゲーション装置５００は、特別用ＩＤを利用して通信をおこなう場合、ｎｕｌｌ（空の）のＩＤを通信用のＩＤに設定した通信要求を送信する。
【０１４０】
通信センター４１３のサーバ装置６００もしくは、サービス事業者４０４は、ｎｕｌｌのＩＤが設定された通信要求を受信すると、この通信要求に応答して、特別用ＩＤを生成する。生成された特別用ＩＤは、通信要求の送信元のナビゲーション装置５００へ送信される。このように、ナビゲーション装置５００は、特別用ＩＤを取得し、個人を特定されない通信を実現することができる。なお、以上説明した手順は一例に過ぎず、他の手順を用いて特別用ＩＤを取得してもよい。
【０１４１】
以上説明した他の実施例の場合も、上述した実施例と同様に、利用者個人を特定されることのない通信を実現することができ、通信を確立する通信先に応じて通常用ＩＤと特別用ＩＤとを併用することができる。
【０１４２】
なお、本実施の形態で説明した通信方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１４３】
１１０  通信端末装置
１１１  設定部
１１２  報知部
１１３  選択部
１１４  通信部
１１５  受付部
１２０  通信管理装置
１２１  受付部
１２２  設定部
１２３  保管部
【手続補正２】
【補正対象書類名】特許請求の範囲
【補正対象項目名】全文
【補正方法】変更
【補正の内容】
【特許請求の範囲】
【請求項１】
通信管理装置を経由して指定した送信先との通信をおこなう通信端末装置であって、
装置ごとにユニークに設定されている通常用の識別情報と、前記通常用の識別情報以外の特別用の識別情報とのいずれかを、通信用の識別情報に設定する設定手段と、
前記設定手段において、いずれかの通信用の識別情報が設定されると、当該設定をあらわす報知情報を前記通信管理装置に送信する報知手段と、
送信先の通信端末装置の選択を受け付ける選択手段と、
前記設定手段により設定された通信用の識別情報を利用して前記選択手段により受け付けた送信先との通信をおこなう通信手段と、
を備え、
前記設定手段は、前記通常用の識別情報が通信用の識別情報として設定された後に、前記切り替え指示を受け付けると、当該切り替え指示に応じて、あらたな通信用の識別情報に設定するとともに、前記切り替えられた通常用の識別情報を保留状態とし、
前記報知手段は、前記設定手段があらたな通信用の識別情報を設定し、前記通常用の識別情報を保留状態にすると、当該設定の切り替えおよび保留をあらわす報知情報を前記通信管理装置に送信することを特徴とする通信端末装置。
【請求項２】
前記設定手段は、前記保留状態にした識別情報を通信用の識別情報に復帰させる復帰指示を受け付けると、当該復帰指示に応じて、前記通常用の識別情報を通信用の識別情報に設定し、
前記報知手段は、前記設定手段によって前記保留状態の識別情報が通信用の識別情報に復帰されると、当該復帰をあらわす報知情報を前記通信管理装置に送信することを特徴とする請求項１に記載の通信端末装置。
【請求項３】
前記設定手段は、前記通常用の識別情報以外の複数の識別情報の中から特別用の識別情報を選択し、通信用の識別情報に設定することを特徴とする請求項１に記載の通信端末装置。
【請求項４】
前記設定手段は、前記通常用の識別情報を受信用の識別情報に設定し、
前記通信手段は、前記受信用の識別情報に設定された通常用の識別情報に宛てて送信された情報を受信することを特徴とする請求項１に記載の通信端末装置。
【請求項５】
通信管理装置を経由して指定した送信先との通信をおこなう通信端末装置であって、
装置ごとにユニークに設定されている通常用の識別情報と、前記通常用の識別情報以外の特別用の識別情報とのいずれかを、通信用の識別情報に設定する設定手段と、
前記設定手段において、いずれかの通信用の識別情報が設定されると、当該設定をあらわす報知情報を前記通信管理装置に送信する報知手段と、
送信先の通信端末装置の選択を受け付ける選択手段と、
前記設定手段により設定された通信用の識別情報を利用して前記選択手段により受け付けた送信先との通信をおこなう通信手段と、
を備え、
前記設定手段は、前記特別用の識別情報が通信用の識別情報として設定された後、通信用の識別情報の変更指示を受け付けると、当該変更指示に応じて、あらたな通信用の識別情報に設定するとともに、変更前の前記特別用の識別情報を通信用の識別情報の設定から解除して保留状態とし、
前記報知手段は、前記設定手段があらたな通信用の識別情報を設定し、前記特別用の識別情報を保留状態にすると、当該設定変更、保留をあらわす報知情報を前記通信管理装置に送信することを特徴とする通信端末装置。
【請求項６】
前記設定手段は、前記通常用の識別情報以外の複数の識別情報の中から選択された特別用の識別情報を受信用の識別情報に設定し、
前記通信手段は、前記受信用の識別情報に設定された特別用の識別情報に宛てて送信された情報を受信することを特徴とする請求項５に記載の通信端末装置。
【請求項７】
前記通信管理装置もしくは前記送信先から前記特別用の識別情報を受け付ける受付手段を備え、
前記設定手段は、装置ごとにユニークに設定されている通常用の識別情報と、前記受付手段により受け付けた特別用の識別情報とのいずれかを、通信用の識別情報に設定することを特徴とする請求項１または５に記載の通信端末装置。
【請求項８】
前記設定手段は、前記特別用の識別情報として装置を特定させない一時的な匿名用の識別情報を設定することを特徴とする請求項１〜７のいずれか一つに記載の通信端末装置。
【請求項９】
通信端末装置間の通信の確立を管理する通信管理装置であって、
前記通信端末装置から、当該通信端末装置が通信をおこなう際に利用する通信用の識別情報の設定をあらわす報知情報を受け付ける受付手段と、
前記受付手段が前記報知情報を受け付けると、当該報知情報によって報知された通信用の識別情報を、前記通信端末装置の通信状態を管理するための監視対象の識別情報に設定する設定手段と、
を備え、
前記設定手段は、前記受付手段が通信端末装置から通信用の識別情報の保留状態への設定をあらわす報知情報を受け付けると、前記報知情報に応じて、前記通信端末装置の識別情報を、通信状態を管理するための監視対象から解除し保留状態として管理することを特徴とする通信管理装置。
【請求項１０】
さらに、前記設定手段によって監視対象から解除された識別情報を保管する保管手段を備え、
前記保管手段は、前記他の通信端末装置から前記保留状態の識別情報に宛てた通信がおこなわれると、その通信内容を保管し、前記保留状態の識別情報の通信端末装置に、前記保留状態の識別情報に宛てた通信をあらわす報知情報を送信することを特徴とする請求項９に記載の通信管理装置。
【請求項１１】
前記保管手段は、前記他の通信端末装置から前記保留状態の識別情報に宛てた通信がおこなわれると、その通信内容を保管し、前記保留状態の識別情報の通信端末装置に通信が可能であれば、当該保留状態の識別情報に宛てて前記通信内容を送信することを特徴とする請求項９に記載の通信管理装置。
【請求項１２】
前記設定手段は、前記受付手段が前記通信端末装置から、前記保留状態の識別情報の通信用の識別情報への復帰をあらわす報知情報を受け付けると、前記保留状態の識別情報を監視対象の識別情報に設定することを特徴とする請求項９に記載の通信管理装置。
【請求項１３】
通信管理装置を経由して指定した送信先との通信をおこなう通信端末装置の通信方法であって、
装置ごとにユニークに設定されている通常用の識別情報と、前記通常用の識別情報以外の特別用の識別情報とのいずれかを、通信用の識別情報に設定する設定工程と、
前記設定工程において、いずれかの通信用の識別情報が設定されると、当該設定をあらわす報知情報を前記通信管理装置に送信する報知工程と、
送信先の通信端末装置の選択を受け付ける選択工程と、
前記設定工程により設定された通信用の識別情報を利用して前記選択工程により受け付けた送信先との通信をおこなう通信工程と、
を含み、
前記設定工程は、前記通常用の識別情報が通信用の識別情報として設定された後に、前記切り替え指示を受け付けると、当該切り替え指示に応じて、あらたな通信用の識別情報に設定するとともに、前記切り替えられた通常用の識別情報を保留状態とし、
前記報知工程は、前記設定工程があらたな通信用の識別情報を設定し、前記通常用の識別情報を保留状態にすると、当該設定の切り替えおよび保留をあらわす報知情報を前記通信管理装置に送信することを特徴とする通信方法。
【請求項１４】
通信管理装置を経由して指定した送信先との通信をおこなう通信端末装置の通信方法であって、
装置ごとにユニークに設定されている通常用の識別情報と、前記通常用の識別情報以外の特別用の識別情報とのいずれかを、通信用の識別情報に設定する設定工程と、
前記設定工程において、いずれかの通信用の識別情報が設定されると、当該設定をあらわす報知情報を前記通信管理装置に送信する報知工程と、
送信先の通信端末装置の選択を受け付ける選択工程と、
前記設定工程により設定された通信用の識別情報を利用して前記選択工程により受け付けた送信先との通信をおこなう通信工程と、
を含み、
前記設定工程は、前記特別用の識別情報が通信用の識別情報として設定された後、通信用の識別情報の変更指示を受け付けると、当該変更指示に応じたあらたな通信用の識別情報に設定するとともに、変更前の前記特別用の識別情報を通信用の識別情報の設定から解除して保留状態とし、
前記報知工程は、前記設定工程があらたな通信用の識別情報を設定し、前記特別用の識別情報を保留状態にすると、当該設定変更、保留をあらわす報知情報を前記通信管理装置に送信することを特徴とする通信方法。
【請求項１５】
通信端末装置間の通信の確立を管理する通信管理装置の通信方法であって、
前記通信端末装置から、当該通信端末装置が通信をおこなう際に利用する通信用の識別情報の設定をあらわす報知情報を受け付ける受付工程と、
前記受付工程が前記報知情報を受け付けると、当該報知情報によって報知された通信用の識別情報を、前記通信端末装置の通信状態を管理するための監視対象の識別情報に設定する設定工程と、
を含み、
前記設定工程は、前記受付工程が通信端末装置から通信用の識別情報の保留状態への設定をあらわす報知情報を受け付けると、前記報知情報に応じて、前記通信端末装置の識別情報を、通信状態を管理するための監視対象から解除し保留状態として管理することを特徴とする通信方法。
【請求項１６】
請求項１３〜１５に記載の通信方法をコンピュータに実行させることを特徴とする通信プログラム。
【請求項１７】
請求項１６に記載の通信プログラムをコンピュータに読み取り可能に記録したことを特徴とする記録媒体。
【国際調査報告】
2009028059.tif 000014
2009028059.tif 000015
2009028059.tif 000016
2009028059.tif 000017